(57)【要約】【課題】  万人にとって判りやすい情報閲覧用のユーザインタフェースを提供すること。【解決手段】  表示コントローラが、電子情報メモリに格納された電子情報の内タッチパネルに表示されると判定されるページ情報を一時的に記憶するキャッシュメモリと、タッチパネルに現に表示している現ページのページ番号に続くページ番号のページ情報をキャッシュメモリに予め格納する連続ページ先読み制御部と、タッチパネルでの操作に応じて１頁又は複数ページを選択してページ捲り処理を行うページ捲り処理制御部とを備えている。そして、連続ページ先読み制御部が、ページ捲り処理制御部によって複数ページのページ捲り操作が検出された場合には当該複数ページ内のページデータをキャッシュメモリから削除する複数ページ捲り時削除機能を備えている。【選択図】図１
2004288208.tif 000002
【特許請求の範囲】
【請求項１】
予め定められた大きさのページを単位として複数のページ情報を有する電子情報を記憶した電子情報メモリと、この電子情報メモリに格納された電子情報を前記ページを単位として表示すると共に前記ページ情報の閲覧に関する操作が入力されるタッチパネルと、このタッチパネルに入力される操作内容に基づいて前記電子情報メモリに格納されたページ情報の表示を制御する表示コントローラとを備え、
この表示コントローラが、前記電子情報メモリに格納された電子情報の内前記タッチパネルに表示されると判定されるページ情報を一時的に記憶するキャッシュメモリと、前記タッチパネルに現に表示している現ページのページ番号に続くページ番号のページ情報を前記キャッシュメモリに予め格納する連続ページ先読み制御部と、前記タッチパネルでの操作に応じて１頁又は複数ページを選択してページ捲り処理を行うページ捲り処理制御部とを備え、
前記連続ページ先読み制御部が、前記ページ捲り処理制御部によって複数ページのページ捲り操作が検出された場合には当該複数ページ内のページデータを前記キャッシュメモリから削除する複数ページ捲り時削除機能を備えたことを特徴とするページ情報表示装置。
【請求項２】
前記表示コントローラが、前記現ページに記事情報が含まれる場合には当該現ページ内の記事情報を前記キャッシュメモリに格納する記事情報先読み制御部を備えたことを特徴とする請求項１記載のページ情報表示装置。
【請求項３】
メークアップランゲージで記述されたＭＬデータを通信回線を介してサーバーから受信する受信手段と、この受信手段で受信したＭＬデータを予め定められた大きさのページを単位とするイメージデータに変換するＭＬデータ変換手段と、このＭＬデータ変換手段によって変換されたイメージデータであるページ情報を記憶する電子情報メモリと、この電子情報メモリに格納されたページ情報を表示すると共に当該ページ情報の閲覧に関する操作が入力されるタッチパネルと、このタッチパネルに入力される操作内容に基づいて前記電子情報メモリに格納されたページ情報の表示を制御する表示コントローラと、を備え、
前記ＭＬデータ変換手段が、前記ＭＬデータのリンク構造を一次元のブック構造へ変換すると共に当該変換後のページ情報にページ番号を連番で付与するページ番号付与部を備え、
前記表示コントローラが、前記タッチパネル上でのポインタのダウンからアップまでの軌跡に応じて前記タッチパネルに次に表示するページを現に表示しているページ番号よりもページ番号が小さいページ又は大きいページのページ情報を選択するイベント駆動型表示制御部を備えたことを特徴とするページ情報表示装置。
【請求項４】
前記ＭＬデータ変換手段が、前記ＭＬデータのリンク構造のうち単一の木構造を特定すると共に当該木を予め定められたなぞり順序で探索することで一次元のブック構造に変換する木構造変換部を備えたことを特徴とする請求項３記載のページ情報表示装置。
【請求項５】
前記木構造変換部が、前記ＭＬデータのリンク構造を深さ優先探索することを特徴とする請求項４記載のページ情報表示装置。
【請求項６】
前記表示コントローラが、前記タッチパネルの両端部に前記ページ情報のページ番号を示すタグを付するタグ付与部を備え、
このタグ付与部が、前記ページ番号付与部によってページ番号が付されたページについて前記タッチパネルにタグを表示する変換済みページタグ表示機能を備えたことを特徴とする請求項３記載のページ情報表示装置。
【請求項７】
ページ情報をサーバーから受信する受信手段と、この受信手段にて受信しているページ情報を記憶する電子情報メモリと、この電子情報メモリに格納されるページ情報を表示すると共に当該ページ情報の閲覧に関する操作が入力されるタッチパネルと、このタッチパネルに入力される操作内容に基づいて前記電子情報メモリに格納されたページ情報の表示を制御する表示コントローラとを備え、
前記表示コントローラが、前記電子情報メモリに格納されたページ情報の内容を表示するタグを前記タッチパネルに表示するタグ付与部と、前記受信手段によるページ情報の受信の進展に応じて前記タグ付与部を動作させるストリーミング時動的タグ付与制御部とを備えたことを特徴とするページ情報表示装置。
【請求項８】
総ページ数が予め定められたページ情報をサーバーから受信する受信手段と、この受信手段にて受信しているページ情報を記憶する電子情報メモリと、この電子情報メモリに格納されるページ情報を表示すると共に当該ページ情報の閲覧に関する操作が入力されるタッチパネルと、このタッチパネルに入力される操作内容に基づいて前記電子情報メモリに格納されたページ情報の表示を制御する表示コントローラとを備え、
前記表示コントローラが、前記電子情報メモリに格納されたページ情報の内容を表示するタグを前記タッチパネルに前記総ページ分表示するタグ付与部と、前記受信手段によるページ情報の受信の進展に応じて受信が完了したタグの色を受信が完了していないタグの色と異なる色に着色するストリーミング時動的タグ着色制御部とを備えたことを特徴とするページ情報表示装置。
【請求項９】
ページ情報をサーバーから受信する受信手段と、この受信手段にて受信しているページ情報を記憶する電子情報メモリと、この電子情報メモリに格納されるページ情報を表示すると共に当該ページ情報の閲覧に関する操作が入力されるタッチパネルと、このタッチパネルに入力される操作内容に基づいて前記電子情報メモリに格納されたページ情報の表示を制御する表示コントローラとを備え、
前記表示コントローラが、前記電子情報メモリに格納されたページ情報の内容を表示するタグを前記タッチパネルに表示するタグ付与部と、前記受信手段によるページ情報の受信の進展に応じて１ページ分のページ情報のうち既に受信した情報量に応じた長さのタグを前記タグ付与部に生成させるストリーミング時動的タグ長さ制御部とを備えたことを特徴とするページ情報表示装置。
【発明の詳細な説明】
【技術分野】
【０００１】
本発明は、ページ情報表示装置に係り、特に、予め定められた大きさのページを単位とした電子情報を表示するページ情報表示装置に関する。
【背景技術】
【０００２】
従来より、仕事や学習や生活に必要な情報は、書籍や、新聞や雑誌等の定期刊行物という媒体を用いて情報の発信者から受け手へと提供されている。また、行政や司法による情報も、やはり、刊行物や書面により提供されている。
【０００３】
近年、ＴＣＰ／ＩＰによるインターネット（ネットワーク間通信網）が整備され、政府、企業、大学、個人などの有するコンピュータが直接又は電話回線網を介して相互に接続されるようになった。このインターネットを介した情報提供の発展により、種々の情報がマークアップランゲージに基づいて作成したＭＬページ（例えば、ＨＴＭＬページやＸＭＬページ）として作成され、このページ（一般的には、ホームページと呼ばれる）をコンピュータを使用して閲覧できるようになっている。また、ＭＬページで記述するには大量である文書については、ＰＤＦなどのフォーマットで作成され、それぞれのホームページからダウンロードできるようになっている。また、特許公報がＣＤ―ＲＯＭにて提供されるように、インターネット以外のコンピュータ可読媒体にて重要な情報が公示又は頒布されている。
【０００４】
このようにコンピュータを用いて閲覧する形式にて提供される情報としては、各企業が製造する製品のデータ・シートや、新製品に関する情報や、行政により作成される文書や、作成中の法案や、最高裁判例の要旨や、大学の研究室の研究成果や、ある地域の宿泊施設の詳細情報や、ニュース、天気予報など、極めて多岐に渡る情報源からの大量の情報がある。これらは、他の新聞紙面や雑誌、カタログ等の紙媒体によっても重ねて提供される場合もあるが、インターネットやコンピュータ可読媒体のみで提供される場合もある。また、過去の情報となると、実質的に紙媒体による情報が入手困難な場合も多い。
【０００５】
このため、今後、世界中でインターネットなど情報インフラの整備が進むにつれて、情報化がますます社会に浸透することで、コンピュータの利用経験の深いユーザーと、コンピュータの利用経験の浅いユーザーとの間に、必要な情報を獲得できる量や質に、個人的な格差が生まれることが懸念される。
【０００６】
コンピュータを操作する手段として、現実世界にある机の作業環境を比喩したグラフィカルユーザインタフェース（ＧＵＩ，以下、デスクトップメタファと呼ぶ）が多用されている。デスクトップメタファによるユーザインタフェースでは、机の作業環境を漫画的に描画して、コンピュータに特有の抽象的でわかりにくいファイル構造を、フォルダやファイルのように、机の作業環境に存在するものに対応付けることで、コンピュータの初心者でも直観的にコンピュータを操作することが可能なように考慮されたものである。例えばあるファイルを消去するのに、紙のメタファーとなっているアイコンで示されたファイルを、ゴミ箱にドラッグアンドドロップするなどの操作である。
【０００７】
しかし、このようなデスクトップメタファのユーザインタフェースを使用しても、コンピュータを利用して単に電子情報を閲覧する行為でさえ、難しいと感じている人が世の中には大勢存在する。すなわち、デスクトップメタファのユーザインタフェースでは、コンピュータの表示装置に描画されたボタンや、ポップアップメニューや、スライドバー等の仮想的な装置を、コンピュータに特有のマウスやキーボード等の入力装置を操作して、これら仮想的な装置を間接的に指示操作することにより、電子情報を閲覧しなければならないからである。
【０００８】
【特許文献１】特開平５−１６５５９５号公報
【発明の開示】
【発明が解決しようとする課題】
【０００９】
このように、上記従来例では、コンピュータを用いて情報を閲覧することが難しい、という不都合があった。すなわち、このようなコンピュータに特有の操作体系は、操作方法を習熟するために多くの時間が必要であり、よってコンピュータが持つ電子情報を、誰もが気軽に利用することが困難である。すると、各個人間で取得可能な情報の質及び量に差が生じてしまう。また、コンピュータを利用しづらいと感じている人が多いと、情報提供者は、もれなく伝達される必要のある情報について紙媒体を廃止して全面的に電子情報に移行することができなくなってしまう。
【００１０】
例えば、大手の企業にて紙媒体を廃止して業務連絡及び決済をすべてコンピュータを用いて行う制度を導入するに際して、準備期間を２年間に設定し、その内の１年間以上を各社員がコンピュータに慣れるための教育期間としたことで、全社的な電子化に成功した例などが報告されている。また、各大学ではコンピュータの基礎的な使用法を教育するためのコンピュータリテラシーの授業等が行われるようになってきている。一般的に、企業や官庁の新人研修ではコンピュータの操作に関する教育が行われている。これらは情報の閲覧のみならず情報の入力及び発信についても教授されるものであるが、一般的に、コンピュータを全く使用したことがない人にとっては、電子情報を閲覧するだけでも困難な作業となる。
【００１１】
そのため、デスクトップメタファよりも、直感的で操作が容易であるユーザインタフェースを提供することが望まれており、特に、電子情報を閲覧することに着目したシンプルな外観と操作を有する情報閲覧装置は有望である。
【００１２】
このような課題に対して、デスクトップメタファを改良した閲覧装置の従来技術として、上記特許文献１に記載されている手法がある。これは、本の外観を表示装置の上に実現しており、複数単位の文章を僅かに位置をずらして、ページが重ね会う状態を表示装置に出力することで、電子情報の情報量を可視化する手法である。そして、文章の内容を集合単位として、その集合を象徴する見出し情報を付加することで、デスクトップメタファを改良している。しかし、この従来例では、ページ数の増加に比例して、表示すべき情報が増加するため、表示領域を十分に確保することが困難となり、そのため閲覧領域が小さくなってしまい閲覧が困難になるという問題点がある。
【００１３】
また、ＣＲＴや液晶ディスプレイは、年々高解像度となっている。例えば、Ａ４サイズにて１５０ｄｐｉ程度の解像度が実現できると、新聞１面全体をＡ４サイズで閲覧することが可能となる。すなわち、ファクシミリ程度の解像度で表示が可能となると、新聞や雑誌などを実際のサイズよりも小さくしても可読可能となる。このような高解像度ディスプレイでは、１２００×１６００ドットの表示をＡ４実サイズにて行うことが可能となるため、従前のオペレーティングシステムのアイコンでは物理サイズが小さくなり、煩雑な印象を与え、かえって判りづらいユーザ・インタフェースとなってしまうことも想定される。
【００１４】
このため、コンピュータの初心者にとっても直感的に利用できる次世代のユーザインタフェースの開発が必要となる。このとき、高解像度ディスプレイを採用したとしても、その操作性に変化がないことが望ましい。すなわち、操作の習熟が容易で、かつ解像度に依存しないユーザインタフェースの開発が望まれる。
【００１５】
本発明の目的は、かかる従来例の有する不都合を改善し、特に、コンピュータの使用経験にかかわらず万人にとって判りやすい情報閲覧用のユーザインタフェースを提供することを、その目的とする。
【課題を解決するための手段】
【００１６】
そこで、本発明であるページ情報表示装置では、表示コントローラが、電子情報メモリに格納された電子情報の内タッチパネルに表示されると判定されるページ情報を一時的に記憶するキャッシュメモリと、タッチパネルに現に表示している現ページのページ番号に続くページ番号のページ情報をキャッシュメモリに予め格納する連続ページ先読み制御部と、タッチパネルでの操作に応じて１頁又は複数ページを選択してページ捲り処理を行うページ捲り処理制御部とを備えている。そして、連続ページ先読み制御部が、ページ捲り処理制御部によって複数ページのページ捲り操作が検出された場合には当該複数ページ内のページデータをキャッシュメモリから削除する複数ページ捲り時削除機能を備えている。
【００１７】
このような構成にすることにより、連続ページ先読み制御部は、現ページに続く複数のページを予め記憶部から読み出して二次記憶部に格納しておく。一方、複数ページ捲り時削除機能は、ページ捲り処理制御部によって複数ページのページ捲り操作が検出された場合には当該複数ページ内のページデータをキャッシュメモリから削除する。複数ページ捲りによって読み飛ばされたデータをキャッシュメモリから削除することで、キャッシュメモリの容量を有効利用することができる。
【００１８】
また、上記ページ情報表示装置が、記事情報を扱う場合には、表示コントローラが、現ページに記事情報が含まれる場合には当該現ページ内の記事情報をキャッシュメモリに格納する記事情報先読み制御部を備えるようにしても良い。
【発明の効果】
【００１９】
本発明は、以上説明したように構成され機能するので、これによると、複数ページ捲りによって読み飛ばされたデータをキャッシュメモリから削除することでキャッシュメモリの容量を有効利用することができるという従来にない優れた効果を有すると共に、コンピュータの使用経験にかかわらず万人にとって判りやすい情報閲覧用のユーザインタフェースを提供することができる。
【発明を実施するための最良の形態】
【００２０】
以下、本発明の実施の形態を図面を参照して説明する。第１実施形態では、１ページずつのページ捲り処理を行い、第２実施形態では、複数ページを一括して一度にページ捲り処理を行う。第３実施形態では、ページ捲り処理中の表示形式について開示する。第４実施形態では、タグを用いた操作と、上記各実施形態での要素とを関連させている。ページ情報が複数の記事情報を有する場合や、ページ情報をサーバーからダウンロードする場合などの例については、実施例として後述する。
【００２１】
＜第１実施形態＞
第１実施形態では、直感的操作を可能とすることで、電子情報に対するアクセスを容易とするために、タッチパネル等の操作部上への操作に応じてページ捲り処理を行う。このとき、操作された方向に応じてページ捲りを行う方向を定める。図１は、第１の実施形態によるページ情報表示方法の一例を示すフローチャートである。本実施形態によるページ情報表示方法は、予め定められた大きさのページを単位として複数のページ情報を有する電子情報を記憶した記憶部（電子情報メモリ）４と、この記憶部に格納された電子情報をページを単位として表示する表示部１と、この表示部と略同一領域に設けられページ情報の閲覧に関する操作が入力される操作部１Ｃ（図２（ｂ）参照）とを備えた情報閲覧装置を使用して電子情報を表示する。表示部１としてタッチパネルを採用する例では、表示部１と操作部１Ｃとが一体化している。
【００２２】
図１を参照すると、ページ情報表示方法は、記憶部４から読み出した現在表示対象となる現ページ上で予め定められたページ捲り方向と平行又は反平行に操作部上をドラッグされたときにページ捲り操作検出信号を出力するページ捲り操作検出工程Ａ１と、このページ捲り操作検出工程Ａ１にてページ捲り操作検出信号が出力された場合には当該ドラッグ操作の方向に応じて現ページに対して１ページ分前後の前ページ又は後ページを次に表示するページである次表示ページに設定する次表示ページ設定工程Ａ２と、この次表示ページ設定工程にて設定された次表示ページを現ページに変えて表示部１に表示させるページ捲り処理工程Ａ３と、を備えている。
【００２３】
ページ捲り操作検出工程Ａ１は、例えば、ページ捲り方向に直交する方向に予め定められた許容誤差領域内にてページ捲り方向にて予め定められた最低操作長を越えた操作をページ捲り操作と判定するページ捲り操作判定工程を備える。次表示ページ設定工程は、現ページのページ番号に対して、ドラッグ操作の方向に応じて１を加減算したページ番号を次表示ページに設定する。そして、ページ捲り処理工程Ａ３では、次表示ページを新たな現ページとするために、ページ捲り処理を行う。すなわち、操作部１Ｃ上で、ポインタをページ捲り方向へドラッグすることで、次ページを表示する。また、ページ捲り方向の反平行方向へポインタがドラッグされた場合には、前ページを表示する。ポインタとしては、マウス等のポインティングデバイスを用いるものでも良いし、一方、ユーザの指先などでも良い。また、タッチパネル１を用いてページ捲り操作を行う場合には、タグが表示されている領域を選択する場合と比較して、より広い領域を用いてページ捲り操作を行うことができる。
【００２４】
ページ捲り処理は、例えば、現ページを表示部１から削除して、次表示ページを表示部１に表示させる処理である。このページ捲り処理を段階的に行うことで、ページを捲っているという状態をより直感的にユーザに伝えるために、現ページを除々に小さくし、次表示ページを段階的に表示部へ表示させるようにしても良い（第３実施形態参照）。このとき、ページ捲り操作検出工程Ａ１が、ページ捲り操作の速度であるページ捲り速度を算出する操作速度算出工程を備え、ページ捲り処理工程Ａ３が、操作速度算出工程にて算出されたページ捲り速度に応じた表示速度で現ページから次表示ページへ表示を変更させる表示速度設定工程を備えるようにしても良い。すると、ページ捲り操作と、ページ捲り処理との関係をより明確にユーザに伝えることができる。
【００２５】
図２は、図１に示した第１実施形態でのページ情報表示装置の一例を示すブロック図であり、図２（Ａ）は全体構成を示す図で、図２（Ｂ）は表示コントローラの詳細構成を示す図である。本実施形態によるページ情報表示装置は、予め定められた大きさのページを単位として複数のページ情報を有する電子情報を記憶した電子情報メモリ４と、この電子情報メモリ４に格納された電子情報をページを単位として表示すると共にページ情報の閲覧に関する操作が入力されるタッチパネル１と、このタッチパネル１に入力される操作内容に基づいて電子情報メモリ４に格納されたページ情報の表示を制御する表示コントローラ３とを備えている。
【００２６】
そして、表示コントローラ３が、電子情報メモリから読み出した現在表示対象となる現ページ上にて予め定められたページ捲り方向３４と平行又は反平行にタッチパネル１上をドラッグされたときにページ捲り操作検出信号を出力するページ捲り操作検出部６０と、このページ捲り操作検出部６０によってページ捲り操作検出信号が出力された場合には当該ドラッグ操作の方向に応じて現ページに対して１ページ分前後の前ページ又は後ページを次に表示するページである次表示ページに設定する次表示ページ設定部６１と、この次表示ページ設定部６１にて設定された次表示ページを現ページに変えてタッチパネルに表示させるページ捲り処理部６２と、を備えている。この各部を有する表示コントローラ３が動作することで、図１に示す処理が実現される。
【００２７】
図３は、図１及び図２に示した構成でのページ捲り動作の一例を示す説明図である。図３に示すように、一次元の構造（ブック構造）を持つページ情報を順次ページ捲りすることで閲覧するため、コンピュータの操作に慣れていないユーザであっても、必要な情報を確実に入手することができる。
【００２８】
図１及び図２に示す処理内容は、ページ情報表示用プログラムを表示コントローラが実行することで実現することができる。この場合、ページ情報表示用プログラムは、図１及び図２に示す構成に対応した指令を有する。具体的には、表示コントローラ３を動作させる指令として、電子情報メモリから読み出された現在表示対象となる現ページ上で予め定められたページ捲り方向と平行又は反平行にタッチパネル上をドラッグされたときにページ捲り操作検出信号を出力させるページ捲り操作検出指令と、ページ捲り操作検出信号が出力された場合には、当該ドラッグ操作の方向に応じて、現ページに対して１ページ分前後の前ページ又は後ページを、次に表示するページである次表示ページに設定させる次表示ページ設定指令と、この次表示ページ設定指令に応じて設定される次表示ページを現ページに変えてタッチパネルに表示させるページ捲り処理指令と、を備える。これら各指令が表示用コントローラ３によって実行されると、図２（Ｂ）に示す構成が実現し、図１に示す処理が実行される。ページ情報表示装置の機能を追加、変更する場合には、その追加、変更する機能に応じた指令を新たに導入すれば良い。
【００２９】
このようなページ情報表示用プログラムは、ＣＤ―ＲＯＭ等の記憶媒体１７に格納され、図２（Ａ）に示すディスクドライブ１６等によって読取制御され、図示しないハードディスク等に格納される。ハードディスク等に格納されたページ表示用プログラムは、表示コントローラ３によって使用される。
【００３０】
ページ捲り操作であるか否かの判定の一例としては、操作された座標の変化及び軌跡による判定がある。図２（Ａ）に示すように表示部（操作部）１上にｘｙ座標を定義しておき、指先が操作部１Ｃに最初に触れた時の入力座標（Px, Py）が、一定時間内に入力座標（PX,PY）までの移動したときの移動量を計測する。ここで、Y軸方向の移動量|PY-Py|が任意の大きさ(DY)よりも小さくて、尚且つX軸方向の移動量|PX-Px|が任意の大きさ(DX)よりも大きいとする。すなわち、ページ捲り方向での操作が任意の大きさ(DX)よりも大きく、一方、ページ捲り方向に直交する方向でのポインタの移動量が任意の大きさ(DY)よりも小さいとする。そして、「PX-Px」が負の値ならば、次表示ページ設定部６１は、現ページの次のページのページ情報を次表示ページに設定する。「PX-Px」が正の値ならば、現ページの前のページを次表示ページに設定する。
【００３１】
従って、例えば、操作部１Ｃ上で図２中右側にポインタ２Ａを移動させると、表示しているページ情報が左から右に捲られながら、次のページが徐々に現れる。同様に、左側にポインタ２Ａを移動させると、表示しているページ情報が右から左に捲られながら、前のページが徐々に現れる。このように、ページ捲りの様子を視覚的に表示しながらページ情報を表示することで、一ページずつページを捲って閲覧する閲覧方法を実現することが可能となる。すなわち、この例によると、表示部１及び操作部１Ｃにあるポインタ（入力カーソル）の動作方向を検出することで、ページや章を指先で直接捲る模擬動作のように直感的な閲覧操作が可能である。
【００３２】
また、タグによる操作及び情報閲覧領域での操作は、操作の速度や圧力に応じて捲るページ量や連続表示の際の表示速度などを制御するようにしても良い。すると、より直感的な操作で微妙な表示制御が可能となる。
【００３３】
＜第２実施形態＞
第２実施形態では、直感的操作を維持しつつ、操作性を向上させるために、複数ページを掴む処理を導入する。図４は、本発明の第２実施形態によるページ掴み処理を行う構成例を示すフローチャートである。図２に示すように、第２実施形態によるページ情報表示方法は、電子情報メモリ４から読み出した現在表示対象となる現ページ上で予め定められたページ掴み操作が行われたときにページ掴み操作検出信号を出力するページ掴み操作検出工程Ａ１１と、このページ掴み操作検出工程Ａ１１にてページ掴み操作の検出が開始された場合にはページ掴み操作の操作量に応じた全掴みページ数を表示部に表示させる掴みページ数表示工程Ａ１２と、ページ掴み操作検出工程Ａ１１にてページ掴み操作検出信号が出力された場合には現ページに対して掴み操作量を加算又は減算したページ番号のページを次に表示するページである次表示ページに設定する次表示ページ設定工程Ａ１３と、この次表示ページ設定工程Ａ１３にて設定された次表示ページを現ページに変えて表示部に表示させるページ捲り処理工程Ａ１４と、を備えている。
【００３４】
ページ掴み操作検出工程は、例えば、操作部１Ｃが圧力検出型である場合には、当該操作部１Ｃの略同一箇所に加えられる圧力の大きさに応じて掴みページ数を算出する圧力別掴みページ数算出工程を備える。また、圧力別掴みページ算出工程に代えて、操作部１Ｃの略同一箇所で継続する押下操作の経過時間に応じて掴みページ数を算出する時間別掴みページ数算出工程を備えるようにしても良い。従って、本実施例では、書籍のページを捲るときに書籍の端部にて力を加えつつ複数枚連続的にページ捲りする操作を隠喩して、表示部１上に加える圧力に応じて複数ページを「掴む」処理を実現する。
【００３５】
ページ捲り処理工程Ａ１４では、複数ページを掴んだ状態で、指先を左右に動かすページ捲り動作を行うことで、複数ページ捲りを実行する。もし、複数ページを掴んでもユーザがページ捲り動作を行わずにタッチパネルから手を離せば、複数ページを掴んだことはキャンセルされ、もとの操作状態に戻す。
【００３６】
掴みページ数の表示に関しては、種々の形式を採用することができる。現に掴んでいる総ページ数を数値にて表示するようにしても良いし、また、ページを掴んでいる状態を何らかの形で表示するようにしても良い。例えば、図５は、図４に示した構成での掴みページ数表示例を示す説明図であり、図５（Ａ）は圧力円の一例を示す図で、図５（Ｂ）は時間円の一例を示す図である。図５（Ａ）及び（Ｂ）に示す例では、図４に示す掴みページ数表示工程が、ページ掴み量に応じた大きさの半径で定義される掴み表示円６３，６４を表示部１に表示させる工程を備えている。
【００３７】
この掴み表示円６３を表示部に表示することで、自らの操作によって掴んだページ数を直感的に把握することができる。図５（Ａ）に示す圧力円では、圧力の大きさに応じて指先を中心とした円の径が増減する。「圧力の大きさに応じて」というときには、必ずしも円の径が圧力に比例的な場合のみならず、例えば圧力に応じて加速度的に円の径が大きくさせる（掴みページ数を増大させる）場合を含む。圧力による複数ページ捲り操作の場合、掴めるページ数が圧力センサーの分解能に依存するため。最大径（＜∞）は初期ファイルなどで設定する。圧力円の半径算出は、次式による。
【００３８】
（圧力円の径）＝（最大径）×（現在の圧力値）／（圧力センサーの分解能）
（掴んだページ数）＝（圧力円の径）／（ユーザの圧力に対する弁別閾）
【００３９】
指の動作によるページ捲り操作を実現させて、尚且つ圧力や時間で複数ページを掴む機能（以下、複数ページ捲り操作）を実現させるためには、ページ捲り操作と複数ページ捲り操作の違いをシステムが容易に識別できることが必要である。本実施形態では、複数ページ捲り操作を有効にするために、図５（Ｃ）に示すように、必ず指先がタッチパネルなどに連れた状態で一定時間停止しておくことで識別する。複数ページ捲り操作が有効になったことを明示するために、図５（Ｄ）に示すように複数ページ捲り操作が有効になると指先に圧力の円を小さく表示する。
【００４０】
図５（Ｂ）に示すように、「時間」を利用して複数ページを捲る場合は、経過時間の長さに応じて掴みページ数を増加させる。時間円の径は、圧力円とは異なり、最大径を設定しなければ無限大となる。つまり、時間で複数ページを掴む場合は、捲るページが存在するだけ掴むことができる。圧力円の場合でも径を無限大に設定できますが、圧力センサの分解能に限度があるため径を無限大に設定すると非常にセンシティブとなってしまう。時間円（前述の圧力円に相当する）の径を求めるアルゴリズムは次の通りである。
【００４１】
（時間円の径）＝F（経過時間）
（掴んだページ数）＝（定数）×（時間円の径）
F（経過時間）は時間を変数とする関数を意味する。ただし増加関数とする
【００４２】
図６（Ａ）はページ情報表示装置の構成例を示す図である。図６（Ａ）に示すように、第２実施形態でのページ情報表示装置では、表示コントローラ３が、電子情報メモリ４から読み出した現在表示対象となる現ページ上で予め定められたページ掴み操作が行われたときにページ掴み操作検出信号を出力するページ掴み操作検出部６４と、このページ掴み操作検出部によってページ掴み操作の検出が開始された場合にはページ掴み操作の操作量に応じた全掴みページ数を表示部に表示させる掴みページ数表示部６５とを備えている。他の構成は図２に示す第１実施形態と同様である。ページ掴み操作検出部６４は、操作部１Ｃに加えられる圧力や経過時間に応じてページ掴数を検出する。そして、掴みページ数表示部６５は、この掴みページ数を表示部１に表示する。
【００４３】
図６に示す表示コントローラ３を実現するには、電子情報メモリから読み出した現在表示対象となる現ページ上で予め定められたページ掴み操作が行われたときにページ掴み操作検出信号を出力させるページ掴み操作検出指令と、このページ掴み操作検出指令に応じてページ掴み操作の検出が開始された場合にはページ掴み操作の操作量に応じた全掴みページ数を表示部に表示させる掴みページ数表示指令とを備えたページ情報表示プログラムを実行すると良い。
【００４４】
図６（Ａ）の表示部には、圧力円６３Ａが表示されている。圧力円６３Ａでは、円弧以外には描画しないため、操作中に下の記事を読み取ることができる。一方、この例では、現に掴んでいる掴みページ数を表示することができず、どの程度掴んでいるかを直径に応じて把握できるようになるために複数回の操作が必要となることが想定される。これに対し、図６（Ｂ）に示す例では、圧力円の内部（又は外形近く等）に掴みページ数を数値にて表示する。図６（Ｂ）に示す例では、４ページを掴み中であり、この状態でページ捲り操作を行うと、ページ捲り操作の方向に応じて４ページ前のページか、又は４ページ後のページが表示される。
【００４５】
図７は、図４に示す構成で多重輪を表示する一例を示す説明図である。図７に示す例では、掴みページ数表示工程Ａ１２が、中心を同一とする複数の円であってページ掴み量に応じた数の円を有する多重輪を表示させる工程を備えている。多重輪を表示する手法では、圧力に応じた年輪のように輪の数として増減する。そのため、輪が掴んだページのメモリの役目をする。また、例えば輪は５頁ごとに色や線の太さを変えることで、掴んだページ数が計算しやすくなる。すなわち、定規が５ｃｍ、１０ｃｍで目盛りが読みやすくなっているのと同様に、５頁毎のメモリとして輪の色や線の太さを変化させると良い。図７（Ｂ）に示す例では、掴み中であることを表示する円を内周部に持ち、その外周に掴みページ数に応じた数の輪を有している。この図７（Ｂ）に示す多重輪６３Ｃは、２ページを掴み中であることを表示し、図７（Ｃ）に示す多重輪６３Ｃは、４ページを掴み中であることを表示する。また、掴み中であることを表示する円の表示を省略するようにしても良い。
【００４６】
図８は、図４に示す構成で塗り円を表示する一例を示す説明である。この図８に示す例では、掴みページ数表示工程Ａ１２が、予め定められた大きさの半径で定義される円で当該円内の塗りをページ掴み量に応じた塗りに設定した塗り円を表示させる工程を備えている。塗り円では、図８及び図９に示す種々の塗り形式が存在する。各塗り形式の塗り円では、掴みページ数に応じて直径を変化させることが望ましいが、塗りの色や変化の程度で掴みページ数を表示するようにしても良い。この場合、塗り円自体の直径は変化しない。
【００４７】
図８（Ａ）は単色でのべた塗りを行う塗り円の一例を示す図である。この単色でのベタ塗りを行うと、現ページのページ情報の内容が読めなくなるため、ページ情報の一部を拡大する操作などとの混同が生じがたくなる。図８（Ｂ）は透明度を有する塗り円の一例を示す図である。塗り円を半透明とすると、複数ページ捲り操作中であっても下の記事を読むことができる。
【００４８】
図８（Ｃ）はグラデーションを有する塗り円の一例を示す図である。この表示方法は、圧力を用いて掴みページ数を検出する場合に好適に用いられる。このグラデーションは、圧力の大きさに応じて中心部の色を濃くすることで、分解能の限界や現在の操作の状態を良好に表示することができる。実際の圧力分布を表示しなくとも、この効果を得ることができる。すなわち、実際の紙面を強く押せば（たくさんページを捲るときは紙面を強く押すという行為に対応する）、物理的に窪むように圧力が高いであろう中心部分の色を濃く（暗く）して、中心から外へ向かうに連れて色が薄くなるようにグラデーションをつけることで、操作状態を良好に表示することができる。グラデーションのついた塗り円は、図８（Ｂ）に示すような半透明とすれば、より紙面が圧力で窪んだ感じを表現することができます。
【００４９】
図９は、図４に示す構成で塗り円を表示する他の例を示す説明図である。この表示方法は、圧力に応じて３次元的に紙面を変形させることで、紙面が指で窪んだ感じを表現する。図９（Ａ）に示す例では、塗り円の外輪が線で描画されているが、この外輪は省略することができる。「3次元的に」と言う表現は、必ずしも紙面を3次元グラフィックスとして扱う必要はなく、へこんだ感じが表現されれば足りる。例えば、図９（Ｂ）に示す基準に描画されている現ページの一部のイメージデータを、図９（Ｃ）や（Ｄ）に示す枠組みにマッピングすることで中程度の圧力や、大きい圧力の場合の歪みを表現するようにしても良い。
【００５０】
＜第３実施形態＞
第３実施形態では、操作した結果の閲覧装置の反応及び経過処理を判りやすく表示することで、操作内容と処理内容との対応の理解を促すために、ページ捲り処理中の現ページと次表示ページとについて効果的な表示を行う。
【００５１】
図１０は、第３実施形態により表示形式を選択する処理例を示すフローチャートである。図１０を参照すると、ページ情報表示方法は、操作部に１ページ分又は複数ページ分のページを捲るページ捲り操作が行われたときに掴みページ数及びページ捲り方向とが定義されたページ捲り操作検出信号を出力するページ捲り操作検出工程Ａ２１と、このページ捲り操作検出工程Ａ２１にてページ捲り操作が完了すると共にページ捲り操作検出信号が出力された場合に、ページ捲り方向に応じて現ページに対して掴みページ数分前後の前ページ又は後ページを次に表示するページである次表示ページに設定する次表示ページ設定工程Ａ２２と、この次表示ページ設定工程Ａ２２にて設定された次表示ページを現ページに変えて表示部に表示させるページ捲り処理工程と、を備えている。
【００５２】
そして、このページ捲り処理工程は、次表示ページが設定されたときに当該次表示ページを記憶部から読み出す次表示ページ読み出し工程Ａ２３と、ページ捲り操作検出信号が出力された時に表示部に表示中の現ページを構成する現ページデータを単位表示時間毎に変形させると共に当該現ページを変形させた捲り状態表示データを生成する捲り状態表示データ生成工程Ａ２４と、次表示ページ読み出し工程にて読み出した次表示ページに捲り状態表示用データ生成工程にて生成された捲り表示用データを当該捲り状態表示用データが無くなるまで単位表示時間毎に上書きする捲り状態表示データ上書き工程Ａ２５と、を備えている。
【００５３】
本実施形態では、ページ捲り処理を行うに際して、現にページを捲っていることを視覚的に表示することで、現ページの表示が表示部１から削除され、次表示ページが表示部１に現れることに対する直感的理解を促す。また、ページ捲り処理の表示を良好に行えると、ユーザが行ったページ捲り操作が正しい操作であることを習得しやすくなる。ここでは、ページ捲り操作検出工程Ａ２１は、第１実施形態での１ページ分のページ捲りと、第２実施形態での複数ページのページ掴みのいずれかを検出する。１ページ分のページ捲りは、１ページのページ掴み操作と考えることもできる。次表示ページ設定工程Ａ２２は、ページ捲り操作検出工程Ａ２１にて検出されたページ捲りの方向とページ掴み枚数とに基づいて、次表示ページを特定する。ページ捲り処理は、次表示ページを段階的に表示させると共に、現ページを段階的に消去することで行う。このため、次表示ページに、変形させた現ページを上書きする。現ページの変形形式については、種々の手法を採用することができる。
【００５４】
図１１は、第３実施形態でのページ情報表示装置の構成例を示すブロック図である。図１１を参照すると、ページ情報表示装置は、予め定められた大きさのページを単位として複数のページ情報を有する電子情報を記憶した電子情報メモリ４と、この電子情報メモリ４に格納された電子情報をページを単位として表示すると共にページ情報の閲覧に関する操作が入力されるタッチパネル１と、このタッチパネル１に入力される操作内容に基づいて電子情報メモリに格納されたページ情報の表示を制御する表示コントローラ３とを備えている。
【００５５】
そして、表示コントローラ３は、図２（Ｂ）に示す第１実施形態と同様に、タッチパネルに１ページ分又は複数ページ分のページを捲るページ捲り操作が行われたときに掴みページ数及びページ捲り方向とが定義されたページ捲り操作検出信号を出力するページ捲り操作検出部６０と、このページ捲り操作検出部６０でのページ捲り操作が完了すると共にページ捲り操作検出信号が出力された場合に、ページ捲り方向に応じて現ページに対して掴みページ数分前後の前ページ又は後ページを次に表示するページである次表示ページに設定する次表示ページ設定部６１と、この次表示ページ設定部によって設定された次表示ページを現ページに変えて表示部に表示させるページ捲り処理部６２と、を備えている。
【００５６】
このページ捲り処理部６２は、図１１に示すように、次表示ページが設定されたときに当該次表示ページを電子情報メモリから読み出す次表示ページ読み出し機能６８と、ページ捲り操作検出信号が出力された時にタッチパネル１に表示中の現ページを構成する現ページデータを単位表示時間毎に変形させると共に当該現ページを変形させた捲り状態表示データを生成する捲り状態表示データ生成機能６９と、次表示ページ読み出し機能６８によって読み出された次表示ページに捲り状態表示用データ生成機能６９によって生成された捲り表示用データを当該捲り状態表示用データが無くなるまで単位表示時間毎に上書きする捲り状態表示データ上書き機能７０と、を備えている。
【００５７】
図１１に示すページ捲り処理部を実現するページ情報表示用プログラムでは、ページ捲り処理指令が、次表示ページが設定されたときに当該次表示ページを電子情報メモリから読み出させる次表示ページ読み出し指令と、ページ捲り操作検出信号が出力された時に表示部に表示中の現ページを構成する現ページデータを単位表示時間毎に変形させると共に当該現ページを変形させた捲り状態表示データを生成させる捲り状態表示データ生成指令と、次表示ページ読み出し指令に応じて読み出した次表示ページに捲り状態表示用データ生成指令に応じて生成された捲り表示用データを当該捲り状態表示用データが無くなるまで単位表示時間毎に上書きさせる捲り状態表示データ上書き指令と、を備える。
【００５８】
図１２及び図１３を参照して現ページの変形形式（ページ捲り処理の表示形式）を説明する。図１２及び図１３に示す例では、ページ捲り方向は図中左向きとし、また、説明を簡略化するためにページ情報として全面にアルファベットを有するものや、三角又は丸を有するものを例とする。図１２（Ａ）は上書き型の表示形式の一例を示す図である。図１２（Ａ）に示す例では、捲り状態表示データ生成工程Ａ２４が、単位時間毎にページ捲り方向の起点側の領域を削除する上書き表示制御工程を備える。図１２（Ａ）に示す例では、現ページ７１の図中右側を段階的に削除することで、捲り状態表示データ７１Ａを生成する。この捲り状態表示データ７１Ａを次表示ページ７２に重ねることで、捲り状態を表示する。この上書き型では、現ページの右側から次表示ページが次々と上書きされる表示形式となる。
【００５９】
図１２（Ｂ）はスライド型の表示形式の一例を示す図である。図１２（Ｂ）に示す例では、捲り状態表示データ生成工程Ａ２４が、単位時間毎にページ捲り方向の終点側の領域を削除すると共に当該削除した領域分現ページデータをページ捲り方向側へシフトさせるスライド表示制御工程を備える。図１２（Ｂ）に示す例では、現ページデータ７１Ｂの図中左側を消去し、消去した分ページ捲り方向にシフトさせる。このシフトさせたイメージデータを捲り状態表示データ７１Ｃとして、次表示ページ７２に上書きする。この図１２（Ｂ）に示す例では、現ページがページ捲り方向に除々にスライドすることで次表示ページ７２が出現する表示形式となる。
【００６０】
図１３（Ａ）は圧縮型の表示形式の一例を示す図である。図１３（Ａ）に示す例では、捲り状態表示データ生成工程Ａ２４が、単位時間毎にページ捲り方向の表示長さを縮小すると共に当該縮小した表示長さへ現ページデータを当該ページ捲り方向に圧縮させる圧縮表示制御工程を備える。図１３（Ａ）に示す例では、ページ捲り方向の端部（図中、左端）にて現ページを表示部の法線方向（ｚ軸方向）へ持ち上げた場合を隠喩する。現ページ７１の表示領域を小さくし、ページ捲り方向にて圧縮すると、符号７１Ｄに示す形状となり、さらに圧縮すると、符号７１Ｅに示す形状となる。これらを次表示ページ７２に重ねると、符号７３Ｄで示す状態から、符号７３Ｅで示す状態へと順次変化する。図１３（Ａ）に示すｘｚ平面でのθを定義すると、このθの変化速度（角速度）を一定とするように現ページ７１の変形を行うと、よりページを捲っている状態が動的に表される。
【００６１】
図１３（Ｂ）は３Ｄ型の表示形式の一例を示す図である。図１３（Ｂ）に示す例では、捲り状態表示データ生成工程Ａ２４が、表示部の法線方向へ仮想的な空間を定義する三次元空間設定工程と、ページ捲り方向の終点側を軸として現ページを仮想的な空間内を回転変形させる現ページ回転変形工程と、この現ページ回転工程にて仮想的に回転変形された現ページの表側及び裏側を表示部の法線方向を視点とする二次元平面データに描画すると共に当該描画データを捲り状態表示データに設定する三次元表示制御工程とを備える。この図１３（Ｂ）に示す例では、三次元空間にて紙を捲る状態を二次元内にて表示させる。現ページ回転変形の例としては、図１３（Ｂ）の符号７１Ｇで示す形状がある。この場合の現ページの裏側を符号７１Ｈで示す。この回転変形した現ページを二次元に描画し、次表示ページ７３Ｆと重ねると、符号７３Ｇで示す如くとなる。本実施形態ではページの裏側にはページ情報を表示させないため、ページの裏側には、例えば現ページの内容が裏側から透けた状態を描画しても良いし、また、次表示ページの内容が反射して映り込んだ状態を表示するようにしても良い。
【００６２】
＜第４実施形態＞
第４実施形態では、タグとの関連で操作性を向上させつつ、操作内容と処理内容の関連の理解を容易にすることを目的として、操作状態の表示にタグを有効活用する。すなわち、第４実施形態では、総ページ数や現ページの位置を示すと共に、ページめくりの操作を直感的に行うための手法として、タグを用いる。図１４乃至図２８を用いてタグの表示手法を説明し、その後、複数ページ掴みとタグとの関係や、上述した第３実施形態についてタグを用いた場合についての拡張を説明する。
【００６３】
図１４は第４実施形態によるページ情報表示処理の一例を示すフローチャートであり、図１５はこの処理の実施に好適なページ情報表示装置の構成例を示すブロック図である。本実施形態では、図１５に示す表示部１にページ情報を表示する情報閲覧領域５を設け、さらに、この情報閲覧領域５の左右又は上下に一方および他方のタグ表示領域６，７を設けている。情報閲覧領域に表示したページのタグを右側のタグ表示領域に表示すると共に、この現ページタグの下に現ページよりもページ番号が大きく後ろのページを示すタグ（後ページタグ９）を付する。そして、左側のタグ表示領域には現ページよりも前のページを示すタグ（前ページタグ１０）を付する。図１５に示す例では、第４ページを表示している。
【００６４】
図１５に示す例では、ページ情報表示装置は、予め定められた大きさのページを単位として複数のページ情報を有する電子情報を記憶した記憶部（電子情報メモリ）４と、この記憶部４に格納された電子情報をページを単位として表示する情報閲覧領域５と当該情報閲覧領域５の両端に設けられページの内容を示すタグを表示するタグ表示領域６，７とを有する表示部（ディスプレイ）１と、記憶部４から読み出したページ情報にタグを付して表示部に表示する表示コントローラ３とを備えている。表示コントローラは、図１４に示す処理を実行する。
【００６５】
図１４を参照すると、表示コントローラは、まず、ページ指定情報で指定されたページの電子情報を読み出す（ステップＳ１）。続いて、読み出した現ページのページ番号に基づいて現ページタグの高さを決定する（ステップＳ２，現ページタグ高さ決定工程）。さらに、現ページタグ以前及び以後のページを示すタグの色及び形状を設定する（ステップＳ３）。このステップＳ３では、現ページタグの強調表示や、タグに付する色又は色の変化の設定や、タグの形状の変化の設定を行う。
【００６６】
続いて、ステップＳ４では、記憶部から読み出した現在表示対象となる現ページを情報閲覧領域に表示させ、さらに、ステップＳ５では、当該現ページに付するタグを一方又は他方のタグ表示領域に表示させる（現ページ表示工程）。そして、この現ページ表示工程に前後して現ページ（図１５に示す例では、第４ページ）以後の各ページ（第５ページ乃至第７ページ）に付するタグ９を一方のタグ表示領域に表示する（Ｓ６、後ページタグ表示工程）。また、現ページ表示工程に前後して当該現ページのページ番号よりも前の各ページに付するタグを他方のタグ表示領域に表示する（Ｓ７、前ページタグ表示工程）。そして、図１４に示す例では、各タグにそのタグが示す内容であるタグ内容を表示する（ステップＳ８）。図１５に示す例では、タグ内容としてページ番号を表示している（ページ番号表示工程）。ページ番号以外に、ページの場所を示すマークや、文字などでも良い。
【００６７】
図１５を参照すると、表示コントローラ３は、図１４に示す処理を実現するために種々の機能を有している。具体的には、記憶部４から読み出した現在表示対象となる現ページのページ情報を情報閲覧領域５に表示する電子情報表示部１１と、一方又は他方のタグ表示領域に表示させる現ページタグ表示部１２とを備えている。表示コントローラ３はさらに、現ページ以後の各ページに付するタグを一方のタグ表示領域中で現ページタグよる高さよりも手前となる位置にそれぞれ表示する後ページタグ表示部１３と、現ページのページ番号よりも前の各ページに付するタグを他方のタグ表示領域中で現ページによる高さよりも奥側となる位置にそれぞれ表示する前ページタグ表示部１４とを備えている。また、好ましい例では、表示コントローラ３は、各タグの形態（形状及び色彩）を設定するタグ表示形態設定部１５を備える。また、現ページタグ表示部１２が、電子情報の総ページ数に対する現ページのページ番号の比率に基づいて、現ページのページ高さを算出する現ページタグ高さ算出機能を備えるようにしても良い。
【００６８】
表示コントローラ４は、ページ情報表示用プログラムを実行するＣＰＵと、このＣＰＵの主記憶となるＲＡＭとを備える。ページ情報表示用プログラムは、ＣＤ―ＲＯＭ等の記憶媒体に格納されてページ情報表示装置まで搬送される。表示コントローラ４はＣＤ―ＲＯＭドライブ等のプログラム読み出し部１６にてプログラムを読み出し、記憶部４等に格納する。このページ情報表示用プログラムが実行されると、図１４に示す処理が実施される。
【００６９】
このページ情報表示用プログラムは表示コントローラ４を動作させる指令として、記憶部４から読み出した現在表示対象となる現ページを情報閲覧領域５に表示させると共に当該現ページに付するタグを一方又は他方のタグ表示領域６，７に表示させる現ページ表示指令と、この現ページ表示工程に前後して現ページ以後の各ページに付するタグを一方のタグ表示領域に表示する後ページタグ表示指令と、現ページ表示工程に前後して当該現ページのページ番号よりも前の各ページに付するタグを他方のタグ表示領域に表示する前ページタグ表示指令とを備える。また、各工程に応じた指令をさらに備えるようにしてもよい。
【００７０】
図１５に示すように、ディスプレイ１上のタグ表示領域６，７は、情報閲覧領域５と、情報閲覧領域５の側面に設けたタグ表示領域６，７とからなる。例えば、電子情報表示部１１は、記憶部４に格納された閲覧情報をディスプレイ１の情報閲覧領域５に描画する。さらに、タグ表示形態設定部１５が、予め選択された設定に応じて、タグの表示形態を特定する。続いて、各タグ表示部１２，１３，１４が、ページ番号等のタグ内容１８を記したタグ８，９，１０を付加して、一枚のタグ付きシートの外観でタグ表示領域６，７に描画する。情報閲覧領域５に表示した情報閲覧領域５に付加した現ページタグ８は、その他のタグ９，１０と区別することを容易にするため、例えば、ページ番号等のタグ内容１８のフォントを強調して描画したりするなどの特別な色や形状等の外観を有することが望ましい。
【００７１】
各タグ８，９，１０は、ページ番号等のタグ内容１８に従って整列している。ページ情報のページの整列順序がより明確になるように、各タグの重なり具合を漫画的に描画することで、コンピュータが持つ情報の絶対的な位置関係を明示する。例えば、一方のタグ表示領域６に表示するタグ１０は、現ページのページ番号よりもページ番号が小さいタグであり、ページ番号が小さいタグよりもページ番号が大きいタグの方が視覚的に手前に存在するように重なり合う状態で描画する。更に、他方のタグ表示領域７に表示するタグは、現ページのページ番号よりもページ番号が大きいタグであり、ページ番号の大きいタグをページ番号が小さいタグよりも視覚的に後ろに存在するように重なり合う状態で描画する。
【００７２】
情報閲覧領域５に付加したタグ８，９，１０のページ番号等のタグ内容１８と比較して、ページ番号等のタグ内容１８が大きいタグは一方のタグ表示領域６に表示し、ページ番号が小さいタグは他方のタグ表示領域７に表示する。また、タグのページ番号の大小に応じてタグ８，９，１０の外観が変化することは、閲覧情報らの相対的な位置関係を明示する有効な描画手法である。
【００７３】
図１６は、本実施形態によるタグの表示の初期状態の一例を示す説明図であり、図１７は、この図１６に示した構成で第４ページを表示した場合のタグ表示例を示す説明図である。ここでは、表示部１に、情報閲覧領域５と、タグ表示領域６，７とを設ける。記憶部４が持つ電子情報１Ａは、情報閲覧領域５に表示可能な情報量をページ単位としたページ情報として再構成して、情報閲覧領域５に表示する。ページ情報は、大きさの定められた１ページを単位とするデータである。
【００７４】
また、ページ情報表示装置は、ページ単位のページ情報を、本のように紙を重ねて並べたように、ページ情報の配置が線形的な情報構造を持つことを明示するために、ページ番号等のタグ内容１８を記したタグ８，９，１０を各ページの端に付加して、ページ番号等のタグ内容１８の順序に従ってタグ８，９，１０整列させることで表現する。
【００７５】
図１６に示す例では、電子情報の総ページ数は７ページであり、このタグ表示領域７の長さをこのページ数７で割った長さのタグを７つ表示している。図１６に示すようにタグの重ね合わせを行うのであれば、このタグ長さは割った長さに重ね合わせ分の長さを加えたものとなる。一般的に、現ページに付するタグ８の高さは、図１５に示す現ページタグ高さ決定工程Ｓ２にてタグ表示方向での高さ又は位置を電子情報の総ページ数に対する現ページのページ番号に基づいて決定するとよい。
【００７６】
また、図１６に示す例では、ページ番号表示工程Ｓ８にて、各タグ内に表示するタグ内容として当該タグを付するページのページ番号を表示させた。従って、図１６の各タグに付された番号は電子情報のページ番号である。図１６に示すように、１つの情報閲覧領域５のみを使用してページ情報を閲覧する場合であっても、ページ番号を有するタグをタグ表示領域に表示することで、電子情報の全体量や奥行きなどを直感的にユーザに伝えることができる。そして、タグ８，９，１０にページ番号を記す例では、見出し情報を記すタグとは異なり、タグ８，９，１０にページ番号を書ききれないなどの問題は発生しない。もちろん、タグ表示領域６，７に十分な表示領域があるのであれば、これら文字情報や又はページ情報の内容を示唆するアイコン等を付するようにしても良い。
【００７７】
また、ページ番号表示工程Ｓ８に前後して、現ページのタグ８の表示を強調させる現ページタグ強調表示工程を備えるようにしても良い。図１６及び図１７に示す例では、現ページタグのフォントとして太文字（ボールド）を使用している。
【００７８】
図１６及び図１７を参照してタグの重ね合わせを説明すると、まず、図１６に示す現ページタグ８に対して、符号９ａ乃至９ｆで示す後ページタグはより下位のタグとなる。そして、このときの順序は、現ページから離れるに従ってより下位の階層となる。従って、現ページタグ８を最上位として、符号９ａ，９ｂ，…，９ｆの順で下位となる。タグの重ね合わせは、最下位にあるタグ９ｆを最も下として、９ｅ，９ｄ，…，９ａの順に重ね合わせていく。すると、ユーザに対しては、現ページから第７ページまでの構造を一目で知らせることができる。このときに、第４ページを閲覧する旨の操作があった場合には、この他方のタグ表示領域７のみで重ね合わせの上下関係を変化させるのではなく、本実施形態では、図１７に示すように、一方のタグ表示領域６に前ページタグを移す。これにより、電子情報の総ページ中の現在ページの位置を素早くかつ正確にユーザに知らせる。
【００７９】
図１７に示すように、前ページタグ１０に関しては、現ページの１つ前のページ（第３ページ）を示すタグ１０ｃを最上位として、ページ番号が小さくなるに従って下位に属する。これにより、電子情報の奥行きを表現する。階層関係は、結局、現ページを最上位として、現ページとのページ番号差の絶対値が大きくなるに従って下位に位置づけることとなる。このため、タグ関係定義工程は、現ページのタグ８又は現ページの前後のページのタグを最上位として、現ページとタグを付すページのページ数の差の絶対値が大きくなるに従って下位に位置づける。そして、重ね合わせ設定工程では、タグ関係定義工程にて定義された各ページの階層に従って一方又は他方のタグ表示領域にて下位のタグに上位のタグを重ね合わせる。ページの整列順序がより明確になるように、各タグの重なり具合を漫画的に描画することで、タグ表示領域６，７の上に、ページの奥行きを視覚化する。このように、本実施形態では、ページ情報にページ番号等のタグ内容１８を明示するタグ８，９，１０を付加して、タグ表示領域６，７に表示することで、入力部２を用いてタグ８，９，１０を直接に指定して、タグ８，９，１０のページ番号等のタグ内容１８に対応するページ情報を情報閲覧領域５に表示する。このとき、ページ情報に付加したタグ８，９，１０の表示形態が変化することで、コンピュータが持つ情報量や、情報構造を容易に把握することが可能である。なぜならば、例えば、図１５に示すように、一方のタグ表示領域６と他方のタグ表示領域７にあるタグの数を比較することは視覚的に容易だからである。
【００８０】
さらに、本実施形態では、情報閲覧領域５においても、ページを捲る等の閲覧のための入力操作を検知することが可能であり、例えば、タッチパネルのような指先の入力操作が可能な装置を用いることで、タグ表示領域６，７の全体を入力領域として、ページを捲るジェスチャ動作によって直観的に閲覧の操作が可能なユーザインタフェースとすることができる。
【００８１】
図１４に示す処理を行う例では、ページタグによって、コンピュータの出力装置上の表示領域に、閲覧領域と、操作領域を設けて、情報閲覧領域に表示した電子情報の一覧性を十分に確保することができる。さらに、情報閲覧領域に表示可能な情報量をページ単位とした電子情報に、ページ番号を明示するタグを付加して、各タグの重なり具合を適切に描画することで、電子情報がページ毎に整列している状態を視覚的に把握することが容易に可能である。そのため、コンピュータの利用経験の浅いユーザであっても電子情報のページ順序から情報構造を容易に把握することができるようになる。
【００８２】
本実施形態によるとさらに、タグの整列順序によって、コンピュータが持つ情報量に対して、現在閲覧しているページの絶対的な位置を視覚的に把握することが容易に可能であり、そして、タグの整列順序によって、現在閲覧しているページや章と、任意のページや章との相対的な位置を視覚的に把握することについても、容易に可能となる。
【００８３】
図１８は、本明細書で使用する「タグ幅」等の用語の定義を行うための説明図である。通常、英文や横書きの日本文であれば、文字は左から右へ流れ、そして、ページを捲るときには右から左へ捲っていく。一方、縦書きの日本文であれば、右から左へページを捲る。また、Ａ４等の用紙で作成した報告書などで、上部にて止められている場合、ページは下から上へ捲る。このように、書籍や報告書や雑誌などにはページの捲り方向が存在する。ここで、「ページ捲り方向」というときには、符号３４で示すようにある一方向を示し、図１８では右から左へページを捲る場合を示している。ページ捲り方向は、一般に、文字の流れる方向と平行（反平行を含む）か又は直交する。そして、本実施形態では、ページ捲り方向に直交する方向に「タグ表示方向」を定義する。タグは、このタグ表示方向３５に沿って表示される。右から左へページ捲りする場合には、タグ表示方向は上下方向となる。下から上へページ捲りする場合には、タグ表示方向は図１４で示したように左右方向となる。
【００８４】
ここでは、「タグ長さ」というときには、タグ表示方向でのタグの開始点から終了点までの距離をいう。「タグ幅」というときには、ページ捲り方向でのタグの長さをいう。従って、タグ長さとタグ幅が定まると、タグ１つ表示するために必要な大きさが定まる。また、本実施形態では種々の要素に応じてタグを配置する位置をタグ表示方向に沿って可変としている。このとき、タグ表示方向の一方の端点からの長さを、ここでは「タグ高さ」という。タグが台形である場合には、台形側面の角度が定まると、１つのタグを特定する要素は上記「タグ長さ」、「タグ幅」及び「タグ高さ」となる。
【００８５】
＜閲覧開始時のタグ長さ調節＞
本実施形態では、閲覧開始時のタグ長さの決定手法を開示する。電子情報１Ａ又は閲覧情報１Ｂは、その内容によって総ページ数が変化する。図１６及び図１７で示す例では、タグ表示方向の長さを総ページ数で割った長さをタグ長さとして表示した。しかし、総ページ数が多くなると、単純な均等割付ではタグ長さが不十分となってしまう。図１９に示す例では、この総ページ数が多い場合のタグ表示を良好に行うための解決手段が示される。
【００８６】
操作領域上にタグ同士を十分な間隔を置いて描画することが困難なほどページ数が多い場合、図２０に示すように、閲覧領域に付随するタグと他のタグとのページ番号の差の絶対値に比例したタグの高さで、任意のページ範囲まで徐々にタグ同士の間隔を狭くして描画する（セマンテック表示）。任意のページ範囲を超えるタグは、タグ同士が一定間隔で密に重なった状態で描画する。
【００８７】
セマンテック表示は、タグ長さを各タグ毎に連続的に短くするものであるため、現ページ及びその近傍のページを示すタグにはページ番号等のタグ内容が良好に表示され、かつ、総ページに対する現ページの位置が明確となり、さらに、総ページ数の量が一目で認知可能なインタフェースを構築することができる。
【００８８】
図１９に示すように、まず、基準となるタグ長さ等を参照して、現ページに付する現ページタグ８の長さを決定する（ステップＳ４１，タグ長さ算出工程）。続いて、現ページタグ８のタグ長さを最大値として各タグの長さをタグの階層が低くなるに従って短くなるように設定する（ステップＳ４１，セマンテック表示設定工程）。そして、総ページ数に対してタグ表示領域の長さが短い場合には、一定範囲について線タグ表示５１Ａと設定する（ステップＳ４３，線タグ表示設定工程）。そして、タグをセマンテック表示する（ステップＳ４４）。ページ情報の内容によっては、一定ページ間隔毎にタグの形状線の太さを変化させる等の間隔表示線を挿入するようにしてもよい（間隔表示線挿入工程）。そして、表示するタグ長さと表示するフォントサイズに応じてタグ内容を表示可能なタグにページ番号等のタグ内容を表示する（ステップＳ４６）。さらに、現ページのページ情報を情報閲覧領域へ表示する。
【００８９】
図２０を参照すると、現ページは第２８ページであり、この現ページタグ８のタグ長さを最大値としてタグ９ａ，９ｂ，・・・，９ｅの順にタグ長さを短くしている。この例では、現ページタグ長さから１つのタグ毎にタグ長さを０．８倍していくことで、セマンテック表示を行っている。そして、符号５１Ａで示すタグの形状の内下の線のみを重ねた線タグ表示も、この０．８倍により実現している。タグの線間隔に表示解像度追従できなくなると、連続的にタグが表示される形となる。図２０で示す例では、他方のタグ表示領域７の現ページタグ８のタグ長さを基準として、その前後のタグを０．８倍したため、一方のタグ表示領域にて表示される最上位のタグ（第２７ページを示すタグ）の長さは第２９ページを示すタグと同じ長さとなっている。このように現ページの１ページ前のタグについてもタグ長さを現ページのタグ長さよりも短くすることで、現ページタグを強調すると共に、奥行き間をより豊かにしている。
【００９０】
図２０に示すセマンテック表示は、ページ情報の総ページ数に無関係に常におこなうようにしても良いが、セマンテック表示を行うと総ページ数が少ない場合にタグ表示領域の有効利用が図れなくなってしまう。このため、ページ情報の総ページ数に応じて図１６及に示す通常表示と、図２０に示すセマンテック表示とを切り替えることが望ましい。この表示手法の切替は、現ページタグについての最低基準長に基づいて行うことができる。すなわち、図１６に示すようにタグ表示方向でのタグ表示領域の長さ全体についてすべてのタグを割り当てようとしたときに、１タグ当たりのタグ長さが基準長未満となればセマンテック表示を行うものである。
【００９１】
図２１はこのような表示手法の切替を行うために必要なページ情報表示用データのデータ構造の例を示す図表である。最低基準長は、ディスプレイの物理長さ及び解像度が予め定まっている場合には、図２１（Ａ）に示すよう最低基準長さをドット数で定めるのが簡易である。一方、実際のディスプレイに依存しないデータ構造とするためには、実行時にディスプレイの物理長及び表示ドット数の入力を受け付けて、最低基準長についてはメートル等の物理長さで定めるとよい。すると、タグを用いたページ捲り操作や奥行きの表示について異なる装置を使用するユーザの感覚が変化しなくなる。また、セマンテック表示を行う場合には、必ずしも左右にタグ表示領域を設けなくとも、総ページ数に応じた奥行き感を表現することができるが、やはり、現ページ位置を即座に認識可能とするためにタグ表示領域を左右に設ける方が望ましい。
【００９２】
図２１（Ａ）に示す例では、ページ情報表示用データは、表示部のページ捲り方向及びタグ表示方向のそれぞれの表示ドット数データと、記憶部に格納された電子情報の総ページ数データと、ドット数データによるドット数を総ページ数データによる総ページ数で割ったドット数である単位タグ当たりのドット数データと、この単位タグ当たりドット数と比較されるページ捲り方向でのタグの長さについて予め定められたタグの最低基準幅及びタグ表示領域でのタグの長さについて予め定められたタグの最低基準長を有する最低基準データとを備えている。図２１（Ａ）に示す例では、単位タグ長さは最低基準長である８０ドットか、又は１６００ドットを総ページ数ａｐで割った値のうち大きい方となる。このデータを用いることで、現ページタグのタグ長さを決定すると共に、通常表示とセマンテック表示とを切り替えることができる。
【００９３】
図２１（Ｂ）に示す例では、最低基準長は２ｃｍか又はタグ表示領域長を総ページ数ａｐで割った値のうち大きい方となる。ページ情報管理部４３は、表示ドット数データとタグ表示領域長との関係から、１ドット当たりの物理長さを求め、これにより単位タグ長さのドット数を得ることができる。
【００９４】
またページ情報表示用データは、単位タグ当たりのドット数データが最低基準データよりも短い場合に参照されるタグ比率データを備えるようにしても良い。このタグ比率データは、最低基準データによるタグ長さに対して電子情報の現ページから終了ページ又は開始ページまで順次変化させるタグ長さの比率である。そして、タグの長さをこのタグ比率データを参照して階層が高い方から低い方へ順次算出し、続いて、階層の低い方から高い方へ上書きしつつタグをタグ表示領域へ描画すると、タグの重ね合わせが良好に行われ、また、総ページ数が多い場合には解像度に応じて自動的に線タグが生じ、一貫したインタフェースを構築することができる。
【００９５】
図２２は、図２１に示すページ情報表示用データを使用してタグの形状を特定するための構成を示す機能ブロック図である。図２２に示す例では、予め定められた大きさのページを単位として複数のページ情報を有する電子情報を記憶した記憶部４と、この記憶部４に格納された電子情報をページを単位として表示する情報閲覧領域５を有する表示部（ディスプレイ）４９と、外部入力されたページ指定情報に基づいて記憶部４に格納された電子情報を読み出して情報閲覧領域に表示させるページ情報表示部５６とを備えている。
【００９６】
そして、ディスプレイ４９は、情報閲覧領域５にてページ情報をページ捲りする方向であるページ捲り方向の一方又は双方の端部にて情報閲覧領域に併設されたタグ表示領域６を備えている。さらに、ページ捲り方向に直交する方向であるタグ表示方向でのタグ表示領域の長さと記憶部４に格納された電子情報の総ページ数ａｐとに基づいて各ページに付する各タグのタグ表示方向の長さを算出するタグ形状算出部と、このタグ形状算出部にて算出された各タグの長さに基づいてタグ表示領域にタグを表示するタグ表示部５５とを備える。
【００９７】
タグ形状算出部は、例えば、タグの最低基準幅と電子情報のページ捲り方向の大きさとに基づいてタグ表示領域の幅を決定するタグ表示領域幅決定部５３を備える。例えば、ページ情報の縦の長さをディスプレイの縦の長さまで拡大又は縮小したときのページ捲り領域の残り長さと、最低基準幅とを比較し、最低基準幅未満であればページ情報の拡大又は縮小の比率を変化させるようにするとよい。また、タグ形状算出部は、タグ表示方向のディスプレイ４９の長さを電子情報の総ページ数ａｐで割った単位タグあたりのタグ長さを現ページのタグ長さに設定すると共に当該タグ長さがタグの最低基準長よりも短かった場合には現在表示するページに付する現ページタグの長さを最低基準長に設定する現ページタグ長設定部５４とを備えるとよい。現ページのタグの長さを最低基準長とした場合には、ここでは、セマンテック表示を行い、一方、最低基準長としなかった場合には、通常表示を行う。
【００９８】
また、最低基準長に基づいたタグを表示するには、記憶部４にディスプレイ４９の大きさに基づいて予め定められたページ捲り方向でのタグの最低基準幅及びタグ表示方向でのタグの最低基準長が記されたタグテーブル（又は、図２１に示すページ情報表示用データ）を格納しておき、タグ表示部５５が、タグ表示領域幅決定部５３によって決定された幅で且つ現ページタグ長設定部５４によって設定された長さのタグをタグ表示領域に表示するようにしてもよい。
【００９９】
図１５に示した場合と同様に、図２２に示す構成についても、各部の動作はＣＰＵとプログラムとにより実現することができる。例えば、図２１に示すデータ構造のページ表示情報を使用してタグ長さを算出するためのプログラムは、タグ表示方向でのタグ表示領域の長さと記憶部４に格納された電子情報の総ページ数ａｐとに基づいて各ページに付する各タグのタグ表示方向の長さを算出するタグ長さ算出指令と、このタグ長さ算出指令に応じて算出された各タグの長さに基づいてタグ表示領域にタグを表示するタグ表示指令とを備える。タグ長さ算出指令は、図２１（Ｂ）に示す最低基準長を物理長とする例では、この物理長とドット数とを相互に変換させる指令を含む。
【０１００】
図２３は、図２１（Ｂ）に示すデータ構造のデータを使用してタグの幅とタグの長さを決定する処理の一例を示すフローチャートである。まず、ディスプレイ４９のページ捲り方向での物理長情報を取得する（ステップＳ５１，物理長取得工程）。続いて、この物理長取得工程Ｓ５１にて取得した物理長情報と予め物理長にて定められたページ捲り方向でのタグの最低基準幅とに基づいて表示部の解像度でのタグの最低基準幅を算出する（最低タグ幅算出工程）と共に、この最低タグ幅算出工程Ｓ５２にて算出されたディスプレイ４９に依存した最低基準幅と電子情報の大きさとに基づいてタグ表示領域の幅を決定する（ステップＳ５２，タグ表示領域幅決定工程）。
【０１０１】
続いて、表示部のページ捲り方向に直交する方向であるタグ表示方向での物理長情報を取得する（ステップＳ５３，物理長取得工程）。続いて、この物理長取得工程Ｓ５３にて取得した物理長情報と予め物理長にて定められたタグ表示方向でのタグの最低基準長とに基づいて表示部の解像度でのタグの最低基準長を算出し（最低タグ長算出工程）、タグ表示方向の表示部の長さを電子情報の総ページ数で割った単位タグあたりのタグ長さが最低基準長よりも短かった場合には現在表示するページに付する現ページタグの長さを最低基準長に設定する（ステップＳ５４，現ページタグ長設定工程）。
【０１０２】
そして、このタグ表示領域幅決定工程Ｓ５２にて定められた幅で、かつ、現ページタグ長設定工程Ｓ５４にて定められた長さのタグを当該タグ表示領域に表示する（ステップＳ５５，タグ表示工程）。これにより、解像度に依存しない状態で良好な形状のタグを表示することができる。
【０１０３】
図２４は、通常表示とセマンテック表示とを切り替える処理の一例を示すフローチャートである。図２４に示すように、ページ情報の表示を開始する際に、まず、電子情報の総ページ数を取得する（ステップＳ６１）。そして、タグ表示方向のドット数を総ページ数で割り、１タグ当たりのタグ長さを算出する（ステップＳ６２）。続いて、算出したタグ長さと例えば図２１に示す最低基準タグ長さとを比較し、算出したタグ長さの方が長い場合には、通常表示を行う（ステップＳ６４）。一方、算出したタグ長さが最低タグ長さよりも短い場合には、０．８倍ずつ等のセマンテック表示を行う（ステップＳ６５）。
【０１０４】
このような表示方式の選択を行うページ情報表示装置は、図２２に示す構成に加えて、電子情報の総ページ数が予め定められた数以内である場合にはタグ表示領域に表示するタグの長さを一定長さにする通常表示を選択すると共に、総ページ数が予め定められた数を超えた場合にはタグの長さを現ページタグを中心として段階的に小さくするセマンテック表示を選択するタグ表示方式選択部を備えるとよい。
【０１０５】
＜ページ捲り後のタグ長さ調整＞
次に、ディスプレイに表示されたページ情報及びタグに対してなんらかの操作が行われ、異なるページを表示した後にどのようにタグを再表示するのかについての具体例を開示する。ページ捲り後にタグをどのように表示するのかに関しては、タグの高さの調節処理をどのように行うかを定めなければならない。図１６及び図１７に示す例では、通常表示を行い、そして、タグの高さを一定に保ちながら他方のタグ表示領域６から一方のタグ表示領域７へ現ページタグを移動させた。図２０に示したセマンテック表示では、タグの高さを一定にしつつタグを移動させ続けることができない。ここでは、この点の解決策が開示される。
【０１０６】
図２５は、ページ捲り後に再度タグを表示する処理の例を示すフローチャートである。図２５に示す例では、まず、現ページのタグ高さを算出する（ステップＳ７１）。この現ページタグ高さ算出工程Ｓ７１は、現在表示対象となる現ページ番号に付する現ページタグの高さを電子情報の総ページ数に対する現ページの比率に基づいて算出する。すると、通常表示であれば、一度表示したタグの高さは変化しない。一方、セマンテック表示であれば、表示する現ページのページ番号に応じて現ページタグの高さは変化する。
【０１０７】
続いて、記憶部４から読み出した現ページを情報閲覧領域に表示させると共に、当該現ページに付するタグを一方又は他方のタグ表示領域６，７に現ページタグ高さ算出工程Ｓ７１にて算出した現ページタグ高さで表示させる（ステップＳ７２，現ページタグ表示工程）。この現ページ表示工程Ｓ７２に前後して現ページ以後の各ページに付するタグ９を一方のタグ表示領域９に現ページタグ高さよりも小さい高さにて表示する（ステップＳ７３，後ページタグ表示工程）。一方、現ページのページ番号よりも前の各ページに付するタグについては、他方のタグ表示領域１０に現ページタグよりも大きい高さにて表示する（ステップＳ７４，前ページタグ表示工程）。
【０１０８】
続いて、ページ捲り操作を待機する（ステップＳ７５）。さらに、ページ捲り操作があった場合には、図２６に示すように、現ページタグのタグ高さを維持しながら捲り中のページにタグを付した状態でページ捲りをアニメーション表示する（ステップＳ７６）。続いて、ページ捲り後のページを現ページに設定する（ステップＳ７７）。
【０１０９】
そして、ここでは、現ページを再設定した後の処理が通常表示とセマンテック表示とで異なる。すなわち、セマンテック表示中であれば（ステップＳ７８）、現ページのタグ高さを総ページに対する比率に基づいて再度算出する（ステップＳ７１，同比率高タグ再表示工程）。一方、通常表示中であれば、各タグに与えられたタグ高さを維持しつつ現ページタグを表示する（ステップＳ７２，同一高さタグ再表示工程）。以後、この処理を繰り返す。
【０１１０】
この処理を実現するためのページ表示用プログラムは、例えば、タグ長さ算出指令と、通常表示指令と、セマンテック表示指令と、タグ高さ制御指令とを備えると良い。具体的には、プログラムは、電子情報の総ページ数情報とタグ表示領域の長さとに基づいて１タグ当たりのタグ長さを算出させるタグ長さ算出指令と、この算出されるタグ長さが予め定められたタグ長さよりも長い場合には当該算出したタグ長さを表示用タグ長さに設定する通常表示指令と、算出されるタグ長さが予め定められたタグ長さよりも短い場合には当該予め定められたタグ長さを現ページタグのタグ長さに設定すると共に当該現ページのタグの長さを最上位として当該現ページの前後に付するタグの長さを段階的に短い長さに設定するセマンテック表示指令と、情報閲覧領域に表示した現ページを捲るページ捲り操作がなされた場合には通常表示中は各タグの高さを一定としたままタグを再表示すると共にセマンテック表示中は新たに表示した現ページのページ番号に基づいてタグ高さを算出させるタグ高さ制御指令とを備える。セマンテック表示指令は、通常表示指令を実行し得ない場合に起動されるようにしても良い。また、タグ高さ制御指令にて通常表示かセマンテック表示かの情報が必要となるため、現在表示中の表示手法がいずれであるかを示すフラグをページテーブル４１等に格納するようにしてもよい。
【０１１１】
図２６を参照すると、第４ページが表示されていたときに、この第４ページである現ページを捲り、第５ページを表示させようとしている。このとき、書籍等を捲るときに現れる印象と同様の印象をユーザに与えるため、図２６に示す例では、捲り中のページの表示領域を除々に小さくすると共に、次に表示するページの表示領域を除々に大きくするように表示している。この表示例は種々のパターンがあるが、使用するコントローラの表示処理能力に応じて選択するとよい。例えば、３Ｄ処理が高速なコントローラ（ＣＰＵ及びオペレーティングシステム）であれば、用紙を捲る状態を三次元で表示するようにしても良い。また、表示中のデータを捲り途中の位置に応じて変形させるなどして、ページがタグ表示領域６のタグ表示方向を中心軸として回転する様子を表示するようにしてもよい。
【０１１２】
そして、図２６に示す例では、符号５８で示すように、捲りのページの移動に、タグの移動を追従させている。すなわち、本実施例によるページ情報表示方法は、タグ表示領域に表示したタグに対して操作が加えられた時に現ページをページ捲り方向に移動させる共に当該タグの操作により表示するページを情報閲覧領域へ表示させるページ捲り工程と、このページ捲り工程にて現ページが移動する際に当該現ページに付されたタグを当該現ページの移動と共に一方及び他方のタグ表示領域間にてページ捲り方向に移動させるタグ移動工程とを備えている。これにより、移動中のページの位置が明確となる。また、ページ捲りを三次元的に表示する例では、タグ形状を変形させつつページに追従して移動させるようにしても良い。例えば、タグ幅を除々に細くするようにすると、ページが回転により上方へ移動している様子を表すことができる。
【０１１３】
図２７はセマンテック表示中にタグを押し広げる処理の一例を示すフローチャートである。ここでは、まず、タグはセマンテック表示されている（ステップＳ８１）。そして、タグ表示領域の近くにてポインタイベントがあれば、例えば、選択表示しているタグ表示領域にポインタ２Ａが近づいた場合、ポインタイベントが生じた座標近くに表示中のタグを特定する。図２８に示す例では、例えば、符号２Ａで示すポインタが線タグ表示されていたタグのうち第４８ページを示すタグの線に近づいたと特定する。この場合、第４８ページを示すタグ及びその前後３つ又は５つのタグの長さを現ページタグ長さ程度の長さに再設定し、表示する（ステップＳ８４，タグ押し広げ工程）。このとき、第４８ページのページ情報をキャッシュメモリ等へ格納するようにしても良い。
【０１１４】
そして、タグ操作が無ければ（ステップＳ８５）、一定時間経過後にタグの表示を元通りとする（ステップＳ８７）。一方、押し広げ表示したタグに対する操作があれば、ページ捲り等の処理を行う（ステップＳ８６）。この図２７に示す処理を実行するためのプログラムは、タグ表示領域に表示されたタグとポインタの座標又は圧力との関係に基づいて当該表示されたタグの長さを再設定するタグ押し広げ指令と、ポインタの座標又は圧力が定常状態に戻った時から一定期間経過後に再設定したタグの長さを元の長さに戻すタグ長さ復帰指令とを備えると良い。
【０１１５】
図２８を参照して再度押し広げ処理を説明する。もし、ポインタ２Ａに最も近い距離にあるタグ(図２８では第４９ページのタグ)は、タグと入力カーソルとの距離ｈが任意の距離Ｈ１よりも短くなった場合に、距離ｈに反比例したタグの高さで、入力カーソルの座標がタグ（４９ページのタグ）近づくにつれて徐々にタグ同士の間隔を広くして描画する。指先の座標とタグ（４９ページのタグ）との距離が、予め決められた距離Ｈ２よりも離れた時には、離れてからの時間が一定の時間が経過すると、図２８に示したタグ同士の間隔の変化は、図２０の表示状態に徐々に戻るようにする。
【０１１６】
＜複数ページ掴みとタグ表示＞
図２９（Ａ）はタグ一体型の表示形式の一例を示す図である。図２９（Ａ）に示す例では、図１０のステップＡ２４に示す捲り状態表示データ生成工程が、現ページにタグが付されている場合には当該タグ部分を現ページと一体化して捲り状態表示データを生成する工程を備えている。図２９（Ａ）で示す例では、図１３（Ａ）に示した圧縮型の表示を、現ページに付したタグ７４Ａと共に行っている。圧縮型であるため、符号７４Ａで示すタグのタグ幅よりも、より圧縮が進行した符号７４Ｂで示すタグのタグ幅の方が狭くなっている。
【０１１７】
図２９（Ｂ）は複数ページ一体型の表示形式の一例を示す図である図２９（Ｂ）に示す例では、図１０に示す捲り状態表示データ生成工程Ａ２４が、ページ捲り操作検出工程で検出された掴みページ数が２以上である場合には当該各掴みページの変形を現ページに対する変形よりも各掴みページ毎に遅らせる工程を備えている。図２９（Ｂ）に示す例では、図１２（Ｂ）に示したスライド型の表示形式について、「Ａ」を表示した現ページ７５Ａ、「Ｂ」を表示した現ページの次のページ７５Ｂ、「Ｃ」を表示した次表示ページ７５Ｃという３つの連続したページについて、現ページ７５Ａ及びその次のページ７５Ｂを時間差を持たせながら変形させている。これにより、次のページ７５Ｂがページ捲り処理中に表示され、複数ページを捲っている状態がより直感的にユーザに表示される。図２９（Ｂ）に示すように、各ページにタグが付されている場合には、そのタグについても各ページに追従して移動させると良い。
【０１１８】
図３０は、第４実施形態での掴み操作に応じたタグ表示制御の一例を示すフローチャートである。図３０を参照すると、ページ情報表示方法は、電子情報メモリ４から読み出した現在表示対象となる現ページ上で予め定められたページ掴み操作が行われたときにページ掴み操作検出信号を出力するページ掴み操作検出工程Ａ３１と、当該ページ掴み操作検出工程Ａ３１にてページ掴み操作の検出が開始された場合には、現ページに付したタグを表示している一方のタグ表示領域にてページ掴み操作によって掴まれた掴み対象ページのタグの色を他のタグの色と異なる色に着色する捲り前掴み対象ページタグ着色工程Ａ４２とを備えている。このステップＡ４２にて、ページ掴み操作によって現に掴んでいるページのタグを着色するため、ユーザは、圧力や時間に応じた掴み操作による掴みページ数への影響を一目で確認できる。特に、ページタグの位置で目的とするページの大まかな位置を把握している場合には、圧力を微妙に変化させつつタグの着色の有無を確認することで、より正確な操作を簡単に行うことができる。
【０１１９】
そして、ページ掴み操作検出工程A３１にてページ掴み操作検出信号が出力された場合には現ページに対して掴み操作量を加算又は減算したページ番号のページを次に表示するページである次表示ページに設定する次表示ページ設定工程Ａ３４と、この次表示ページ設定工程Ａ３４にて設定された次表示ページを現ページに変えて表示部に表示させるページ捲り処理工程Ａ３５とを備えている。
【０１２０】
図３０に示す例では、ページ捲り処理工程Ａ３５に続いて、ページ捲り処理後に新たに現ページとなった現ページに付したタグを表示していない他方のタグ表示領域にて当該ページ捲り処理を完了した掴み対象ページのページタグの色を、他のタグの色と異なる色に着色する捲り後掴み対象ページタグ着色工程Ａ３６を備えている。
【０１２１】
また、情報閲覧領域での掴み操作のみならず、タグ上にて掴み操作を行うようにしても良い。図３１はタグ上で掴み操作を行う一例を示す説明図であり、図３１に示すように、押し広げを行ったタグ７６上に所定圧力を加えることで、複数ページ掴みを実現する。
【０１２２】
また、掴み表示円をタグ上に表示するようにしても良い。図３２及び図３３に示す例では、掴み操作によるタグの着色と、タグ上の掴み表示円の表示とを併用する場合を例示する説明図である。図３１に示した例では、現ページから後ろ又は押し広げたタグよりも後ろのページのみを掴むこととしていたが、前ページ側のタグ表示領域６側にて同様の操作を行うことで、前ページを掴むことが可能となる。すなわち、図３２にて掴んだページ７７は、現に操作しているタグよりも前のページである。一方、図３３に示す例では、掴んだページ７７は現に操作しているタグよりも後のページである。
【０１２３】
図３４は、複数ページを一括してページ捲り処理する場合のタグ表示例の一例を示すフローチャートである。図３４に示す例では、ページ情報表示方法は、記憶部４に格納された電子情報の総ページ数に対する現ページの位置に基づいて現ページタグの表示高さを算出する現ページタグ高さ算出工程Ａ４１と、この現ページタグ高さ算出工程にて算出された現ページタグのタグ高さと後ページの総ページ数とに基づいて後ページタグの表示形式を特定する後ページタグ表示形式特定工程Ａ４２と、この後ページタグ表示形式特定工程に前後して現ページタグのタグ高さと前ページの総ページ数とに基づいて前ページタグの表示形式を特定する前ページタグ表示形式特定工程Ａ４３とを備えている。
【０１２４】
各表示形式特定工程Ａ４２，４３は、第４実施形態にて説明したタグ表示方法によって表示形式を特定するようにすると良い。すなわち、現ページタグ高さの位置を最優先して、この位置の残りページ数に応じて表示形式を定める。
【０１２５】
そして、現ページ上で予め定められたページ掴み操作が行われたときにページ掴み操作検出信号を出力するページ掴み操作検出工程Ａ４４と、ページ掴み操作検出工程Ａ４４にてページ掴み操作検出信号が出力された場合には現ページに対して掴み操作量を加算又は減算したページ番号のページを次に表示するページである次表示ページに設定する次表示ページ設定工程Ａ４５と、この次表示ページ設定工程にて設定された次表示ページを現ページに変えて表示部に表示させるページ捲り処理工程Ａ４６乃至Ａ４９とを備えている。
【０１２６】
そして、このページ捲り処理工程では、まず、ページ捲り処理を開始する（ステップＡ４６）。続いて、掴み対象ページタグの表示制御を行う（ステップＡ４７）。この掴み対象ページタグの表示制御工程は、捲り処理対象となる現ページ及び掴み操作で掴まれた掴み対象ページに付されていたタグを、前ページタグ表示形式特定工程Ａ４２又は後ページタグ表示形式特定工程Ａ４３にて特定される表示形式のうちページ捲り処理の方向に応じた表示形式にて、現ページの捲り処理による現ページの変形又は移動に追従して情報閲覧領域内に表示させる。続いて、ページ捲り処理を行い（ステップＡ４８）、さらに、ページ捲り処理の完了まで掴み対象ページタグの表示制御工程Ａ４７を繰り返す（ステップＡ４９）。
【０１２７】
また、図３５（Ａ）に示すように、ページタグが押し広げられている状態で、複数ページめくりを実行すると、複数ページを掴んだ部分と現ページ（紙面のこと）を含む指で指示したページよりも前のページまでを、ひとまとめにしたページ捲り処理となる。このとき、図３４に示す処理例では、図３５符号７９で示す部分のタグ表示を、前ページのタグを表示するタグ表示領域６での表示形式にあわせて、タグの幅方向にて描画を反転させた状態で表示する。すなわち、ページ捲り処理の実行が開始した状態で、次表示ページを現ページとして扱い、タグ高さを再計算し、後ページ側のタグ表示領域にてタグを再表示する。そして、ページ捲りにて移動中の現ページから掴み対象ページの最終ページまでに付するタブを、前ページでの表示形式にあわせて表示させ、ページ捲り処理による移動に追従させる。
【０１２８】
また、図３５に示す例では、図３４に示すページ掴み操作検出工程Ａ４４に続いて、当該ページ掴み操作検出工程Ａ４４にてページ掴み操作の検出が開始された場合には、現ページに付したタグを表示している一方のタグ表示領域にてページ掴み操作によって掴まれた掴み対象ページのタグの色を他のタグの色と異なる色に着色する捲り前掴み対象ページタグ着色工程を備えている。例えば、閲覧領域５内に第３実施形態による圧力円を表示する場合には、圧力円だけでは掴んだページ数が慣れないと把握できないことも想定されるため、掴んだページはタグの色が変化することで対応する。
【０１２９】
図３６は、図３４に示した処理による情報閲覧領域でのタグ表示を強調した説明図である。この図３６に示す例では、掴み対象ページタグ表示制御工程Ａ４７が、捲り処理対象となる現ページ及び掴み操作で掴まれた掴み対象ページに付されていたタグを各タグの間隔を密に且つ等間隔の表示形式に設定する工程を備えている。図３６符号７９Ｂに示すように、各タグの間隔を密に且つ等間隔の表示形式に設定することで、複数ページが一括してページ捲りされる状態を良好に表示しつつ、ページ捲り後の現ページの位置を即座に明示することができる。
【０１３０】
図３７は、複数ページの一括ページ捲り完了後のタグ表示例を示す説明図である。この図３７に示す例では、ページ捲り処理工程Ａ４９に続いて、ページ捲り処理後に新たに現ページとなった現ページに付したタグを表示していない他方のタグ表示領域にて当該ページ捲り処理を完了した掴み対象ページのページタグの色を、他のタグの色と異なる色に着色する捲り後掴み対象ページタグ着色工程を備えている。この捲り後掴み対象ページタグ着色工程を備えることで、複数ページを一括してページ捲りした場合に元のページの位置が明確となり、特に、視覚的に位置を記憶しておくことで対応できるため、掴み操作によるページ捲りを行った後に、元のページに戻ることが容易となる。
【０１３１】
図３８は、タグ上に圧力円を表示する例を示す説明図であり、図３８（Ａ）は左側ページタグの場合の例を示す図で、図３８（Ｂ）は右側ページタグの場合の例を示す図で、図３８（Ｃ）はタグの着色とタグ内圧力円とを併用する例を示す図である。この図３８に示す例では、ページ掴み操作検出工程Ａ４４に続いて、当該ページ掴み操作検出工程Ａ４４にてページ掴み操作の検出が開始された場合には、当該ページ掴み操作が検出されたタグに当該ページ掴み操作による掴み対象ページ数に応じた円７８を表示するタグ上掴み円表示工程を備えている。タグ上の掴み円を表示することで、単純なクリックによるページ捲りとの相違を視覚的に表示させることができる。
【０１３２】
図３９は、タグ上の操作方向に応じて掴み対象ページを変化させる例を示す説明図であり、図３９（Ａ）は前ページを掴む場合の一例を示す図で、図３９（Ｂ）は後ページを掴む場合の例を示す図である。この図３９に示す例では、指先でページタグを指示して複数ページ捲り操作が有効になった時を「基準」として指先を上または下に動かすことで前ページまたは後ページを掴むかを決定する。上下に動かす範囲は、１つのタグ内とすることで、タグのドラッグによる連続ページ捲りと区別することができる。そして、圧力の大きさによって掴むページ数を決定して複数ページ捲りを実行する。
【０１３３】
＜実施例＞
次に、本発明の実施例を図面を参照して説明する。図４０は、本実施例のハードウエア資源の構成を示すブロック図であり、以下の各実施例に共通する構成である。そして、以下の実施例によるページ情報表示装置は、図４０に示すように、ポインタイベントが入力される入力部２と、ページ情報及びタグを表示するディスプレイ１である出力部４９と、各種情報を記憶した記憶部４と、を備えている。出力部４９には、この出力部４９を制御するディスプレイ・ドライバである表示管理部４４と、表示部１画面分又は２画面分の画像データを記憶する一次記憶部４６とが併設されている。また、入力部２には、入力部２にて発生したポインタイベントに基づいて閲覧操作指令を表示管理部等に出力する閲覧操作管理部４５と、この閲覧操作中の経過時間を計測するためのタイマ４８とが併設されている。
【０１３４】
記憶部４には、複数ページ分のページ情報である電子情報１Ａと、電子情報１Ａを情報閲覧領域５に表示可能な情報量をページ単位とするページ情報１Ｂと、この閲覧情報１Ｂの構成が記載されたページテーブル４１とが格納されている。記憶部４には、電子情報１Ａが、テキスト形式、ワープロにより作成した文書形式、画像形式、ＨＴＭＬ形式、ＸＭＬ形式、ＰＤＦ形式、スキャンした画像形式などの一般的なファイル形式で保存されている。もちろん、ここで述べる電子情報１Ａは、電話回線やＬＡＮなどのネットワークで接続された遠隔地の記憶装置に蓄積されている場合であっても適応可能である。このような電子情報１Ａは、本実施例では、ページ変換部４２によって線形な画像ファイルに変換される。例えば、１ページ１ファイルの画像データとすると表示処理が容易となる。この場合、ページ情報は、ビットマップ形式、TIFF形式、PICT形式、JPEG形式、GIF形式の画像形式の情報である。ページテーブル４１とは、ページ番号等のタグ内容１８とページ情報とが１対１に対応するインデックス情報を有する。ページ情報は画像情報であるため、閲覧情報を著作権保護の機構もつページ変換部４２を通すことで、電子透かしを埋め込むことはページ情報表示装置の構成上は容易に実現可能である。また、ページ情報管理部４３は、ページ変換部４２によって変換された閲覧情報１Ｂのデータ構造や順序をページテーブル４１を参照して管理する。新聞等を表示する実施例では、１ページ分のページ情報内にさらに複数の記事情報を定義するようにしてもよい。
【０１３５】
本実施例によるページ情報表示装置は、表示用に高速な一次記憶部４６と、表示用の先読みキャッシュとして機能する二次記憶部４７と、現在表示中のページや閲覧操作に応じて所定のページ情報を記憶部４から読み出して二次記憶部４７に格納しておくページ情報管理部４３とを備えている。これにより、閲覧操作に対する応答性を向上させる。
【０１３６】
従来は紙に印刷される情報などを電子化して直感的な操作で閲覧するために、本実施例では、入力部２はタッチパネルのように指先で本のページを捲る感覚をできるだけ忠実に模擬する入力操作が可能なデバイスを用いる。そして、ディスプレイ１には高精細表示が可能なデバイスを用いることで、入力部２の入力領域がディスプレイ１のタグ表示領域６，７を覆い、これにより、入力領域とタグ表示領域６，７とを一体とすることが好ましい。もちろん、図６５に示すようなコンピュータの構成においても、電子情報の閲覧は十分に可能であり、必ずしもタッチパネルや高精細表示が可能な出力装置を利用しなければならないことを意味するものではない。
【０１３７】
図４１は、本実施例による動作の概要を示すフローチャートである。まず、キャッシュ可能な容量を知るために、ページ情報管理部４３は、二次記憶部４７の容量を確認する（ステップＳ２１）。続いて、ページ情報管理部４３は、電子情報１Ａとページテーブル４１の有無を確認する（ステップＳ２１）。ページ情報管理部４３は、電子情報１Ａが記憶部４に存在しており、かつ、ページテーブル４１が記憶部４に存在しない場合には、ページ変換部へ電子情報１Ａをページ情報１Ｂへ変換させる。この場合、ページ変換部４２は、まず、電子情報１Ａのファイル形式を調べ（ステップＳ２２）、情報閲覧領域５に表示することが可能な情報量をページ単位とするページ情報を自動的に作成する（ステップＳ２４）。この変換処理の詳細は関連技術として後述する。そして、ページ情報管理部４３は、ページ情報のページ番号等のタグ内容１８を、ページ情報が作成された順序に従って決定し、電子情報１Ａがページ情報としてページテーブル４１に登録する（ステップＳ２５）。
【０１３８】
このステップＳ２４により、ファイル形式が異なる複数の電子情報１Ａは、線形的な情報構造をもつ一冊の本として閲覧が可能になる。ページテーブル４１は、本実施例で閲覧可能な線形的な情報構造を逸脱しない範囲であれば、書き換えて変更を加えることが可能である。
【０１３９】
本実施例では、ディスプレイ１に表示すべき閲覧情報を、情報の読み書きが最も高速な一次記憶部４６に記憶する。また、記憶部４よりも情報の読み書きが高速な二次記憶部４７には、ユーザが次に閲覧することが予想される閲覧情報らを予め記憶する。このため、閲覧操作されて表示すべきページが定まると、ページテーブル４１を参照して（ステップＳ２６）、表示するページを一次記憶部４６へ（ステップＳ２７）、その前後のページを二次記憶部４７へ格納する（ステップＳ２８）。これは、表示管理部４４が要求するページ情報が二次記憶装置４７にある場合には、二次記憶装置４７から一次記憶装置４６に移し替えることで高速な表示を可能にするためである。もし、表示管理部４４が要求するページ情報が二次記憶装置４７に無い場合は、記憶部４４にある閲覧情報から取り出して一次記憶装置４６に記憶する。
【０１４０】
そして、図４２に示すように、ページに付加するタグ８，９，１０をタグ表示領域に描画する（ステップＳ３１）。そして、一次記憶部４６に格納したページ情報を情報閲覧領域５へ表示する。続いて、タッチパネル等の入力部３への入力を待機する（ステップＳ３３）。
【０１４１】
入力部３へページ捲り操作等の閲覧操作が加えられると、閲覧操作管理部４５は操作の内容を判断して閲覧の種類を表示画管理部４４へ伝える（ステップＳ３４）。閲覧の種類は、例えば、一ページずつページを捲って閲覧する方法、閲覧しているページから別のページへ即座に切り替えて閲覧する方法、任意のページ範囲をぱらぱらとページを捲って閲覧する方法や、電子情報に含まれる所望の記事だけを閲覧領域の全体へ詳細に表示して閲覧する方法である。
【０１４２】
そして、閲覧の種類が表示管理部４４へ伝わると、閲覧の種類から情報閲覧領域５に表示すべきページ情報を決定する。例えば、ページ情報管理部４３に表示する閲覧情報を一次記憶装置４６へ記憶するように要求するとき、一次記憶装置４６に記憶した閲覧情報が二次記憶装置４７から得られたのであれば、二次記憶装置４７には新たにユーザが次に閲覧することが予想される他のページ情報を記憶部４から取り出して記憶する（ステップＳ３５）。
【０１４３】
この二次記憶部４７への格納は、現在表示中のページよりも後のページをより多く格納しておくと、一般的に閲覧はページ番号が増加する方向へ行われるため、よりヒット率が高くなる。また、後述するタグの押し広げ処理等のポインタイベントがあったときには、押し広げの中心となるページを先読みして二次記憶部４７へ格納するようにしてもよい。
【実施例１】
【０１４４】
上述した例では、１ページ分の大きさを持つページ情報がデータの最小単位であった。これに対し、新聞の一面全体を表示する場合や、雑誌記事を表示する場合などは、各記事を拡大して表示するようにしても良い。これは、書籍のような情報であって、その書籍中の図版について拡大可能としても良い。このような拡大は、ページ情報自体を予め高解像度で作成しておき、イメージデータであるページ情報を拡大する手法や、また、テキストや線図のベクトルデータにてページ情報を作成しておき、これらを拡大表示するようにしても良い。記事等の拡大表示を行う場合には、現ページタグの長さを通常の数倍に設定するとよい。すると、タグの形状によって、例えば、電子情報に含まれる任意の記事を拡大している場合を、直観的に把握することが可能である。
【０１４５】
記事情報を有する場合には、ページ情報に、ページ情報に含まれる記事情報と、ページ情報上での記事情報の座標範囲を明記するとよい。もし、ユーザが操作部（入力部）２を用いてページ情報上を指先で指示した場合には、指先が指示した座標値が座標範囲に含まれれば、座標範囲に対応する記事情報がディスプレイ１に表示される。また、この記事情報の座標範囲は、ページ情報の長さに対する比率で定義すると、デバイスに依存しないデータとなる。
【０１４６】
図４３は、実施例１による記事情報の拡大表示を行う処理例を示すフローチャートである。図４３に示すように、本実施例でのページ情報表示方法は、記憶部４から読み出した現在表示対象となる現ページに当該現ページを構成する複数の記事情報が定義されている場合に操作部上で記事情報拡大操作を検出したときに当該記事情報拡大操作が行われた位置情報を有する記事情報拡大操作検出信号を出力する記事情報拡大操作検出工程Ａ５１と、この記事情報拡大操作検出工程Ａ５１にて記事情報拡大操作検出信号が出力された場合には位置情報で示される位置の記事情報を拡大して表示部に表示させる記事情報拡大表示工程Ａ５２とを備えている。記事情報の拡大表示を可能とすることで、例えば新聞情報を電子情報とした場合に、より読みやすい状態での閲覧を可能とする。記事情報拡大操作検出工程Ａ５１は、例えば、操作部１Ｃ上をクリックされたときに当該クリック位置を位置情報とする記事情報拡大操作検出信号を出力する工程を備える。すなわち、読みたい記事情報の上をクリックすることで、その記事情報が拡大される。
【０１４７】
図４３に示す例では、記事情報拡大表示工程Ａ５２に続いて、当該記事情報の拡大表示中は通常のページ捲り操作を禁止する記事表示中ページ捲り禁止制御工程Ａ５３を備えている。記事情報の拡大中にページ捲り操作を可能とすると、ページ情報が１ページずつ増加するという本実施形態での線形構造が崩れてしまい、ユーザが混乱するおそれがある。すなわち、記事情報を表示している状態で、頁を捲って閲覧を進めることができてしまうと、その時点で情報構造が分岐するため、ページ情報が線形的な情報構造を持たなくなり、ユーザは容易にその情報構造を思い描くことが困難になってしまう。このため、好ましい実施例では、記事表示中のページ捲り処理を禁止する。従って、記事表示中に行われる全ての操作は、その記事情報を有するページ情報の表示へ戻す操作と解釈する。
【０１４８】
図４４は、複数記事のドラッグによる連続拡大操作を行う例を示す説明図である。この複数記事の連続拡大操作を行う例では、記事情報拡大操作検出工程Ａ５１が、操作部上をドラッグされた場合に当該ドラッグの軌跡に記事情報が２以上含まれる場合には記事情報連続拡大操作検出信号を出力する記事情報連続拡大操作検出工程を備える。そして、記事情報拡大表示工程Ａ５２が、記事情報連続拡大操作検出信号が出力された場合にドラッグされた順序で予め定められた時間毎に当該記事情報を個別に時系列にて連続させて拡大表示させる連続拡大表示工程を備えると良い。連続拡大表示工程は、例えば、ドラッグの速度に応じた時間間隔で２以上の記事情報を時系列にて連続させて拡大表示させる工程を備えるようにしても良い。
【０１４９】
図４４に示すように、記事情報８２Ａ，８２Ｂ，８２Ｃ，８２Ｄを有するページ情報（第４ページ）を現ページとして表示しているとする。このとき、符号８２Ｆで示す矢印に沿ってドラッグされた場合には、記事情報連続拡大操作と判定する。この場合、連続拡大表示工程は、まず符号８２Ａで示す記事情報を表示し、予め定められた閲覧時間経過後、または、記事情報縮小指示（例えば、拡大した記事情報表示中のタッチパネルへのクリック）があった時に、次の記事情報８２Ｂを表示し、続いて、８２Ｃを表示する。この記事連続拡大操作を可能とすることで、操作を行った後、ゆっくりと記事情報を続けて閲覧することが可能となり、インタフェースを複雑にしないまま、操作性を向上させることができる。
【０１５０】
図４５は、ワイヤーフレーム表示を伴う記事拡大表示の一例を示す説明図である。この図４５に示す例では、記事情報拡大表示工程Ａ５２が、当該拡大する記事情報の外周を開始領域とするワイヤフレームを表示部の外周に至るまで大きさを変化させて多段階に表示させる拡大時ワイヤフレーム表示工程を備える。ワイヤフレーム表示を行うとき、図４５に示す例では、まず、記事情報を囲む大きさのワイヤフレームを表示する。続いて、このワイヤフレームの外周と、情報閲覧領域５の外周とで縦横比率を同一としたまま複数のワイヤフレームを生成する。そして、記事情報を囲むワイヤフレームから情報閲覧領域５の外周まで順次ワイヤフレームを表示する。このワイヤフレームを表示することで、記事情報の拡大を行うことを明確にすると共に、どの位置にあった記事情報を拡大したのかを視覚的にユーザに表示することができる。
【０１５１】
また、記事情報拡大表示工程Ａ５２に続いて、記事情報の拡大を完了させる拡大完了操作がなされたときに当該表示部の外周を開始領域とするワイヤフレームを現ページ上の記事情報の外周位置に至るまで大きさを変化させて多段階に表示させる縮小時ワイヤフレーム表示工程を備えるようにしても良い。すると、現に拡大していた記事情報がページ情報中どの位置にあったのかを良好に表示することができる。
【０１５２】
記事情報の拡大をより明確に行うには、記事情報を一旦浮き上がらせた後、拡大を行うようにしても良い。また、ワイヤフレーム表示ではなく、記事情報自体を物理的に拡大しつつ描画するようにしても良い。図４６は、記事情報を浮き上がらせた後に拡大する処理の一例を示す説明図である。この図４６に示す例では、記事情報拡大表示工程が、現ページ中選択された記事を表示上浮き上がらせる工程を備えている。
【０１５３】
図４６（Ａ）は浮き上がらせるために記事に陰を付した状態を示す図で、図４６（Ｂ）は選択された記事を拡大中の状態を示す図で、図４６（Ｃ）は拡大処理完了後の状態を示す図である。ここでは、記事情報８４に陰影８５を付することで、浮き上がり処理を実現している。また、浮かせる記事データを縮小したものをページ情報に重ねて表示するようにしても良い。紙面データから拡大する記事データ部分の画像を切り取って表示することで、記事の拡大が終了したときに浮かせた部分と記事データと入れ替えるようにしても良い。
【０１５４】
図４７は、記事情報拡大時のタグ表示の一例を示す説明図である。図４７に示す例では、記事情報拡大表示工程Ａ５２が、現ページがタグを有している場合には当該タグを拡大すると共に当該拡大したタグを当該拡大した記事情報に付する拡大タグ付加工程を備えている。図４７に示す例では、紙面の全体にページ情報を表示しているのか、記事情報を詳細に表示しているのかを明示するために、タグの外観が変化させている。これにより、閲覧操作による閲覧状態の遷移をユーザに明示することができる。例えば、記事情報を拡大表示するとき、その記事情報を含んだページ情報に付随するタグ８Ａを拡大する。このように、タグも記事情報と共に拡大して表示することで、記事情報の拡大閲覧中であることを明示する。
【０１５５】
図４８は、ページ情報と記事情報を対応付ける記事情報テーブルの一例を示す図表である。記事情報の格納の手法として、高解像度のページ情報を有し、その記事情報の座標範囲を参照してページ情報の一部を拡大するようにしても良い。この場合、図４８に示すように、各ページ情報に記事情報の有無及び名称等を定義し、各記事情報毎に座標範囲を定める。この記事情報テーブルを記憶部４に格納することで、記事情報の拡大を行う。
【実施例２】
【０１５６】
実施例２では、ポインタイベントに応じてページ情報の捲り操作等を行う処理例を説明する。この実施例では、イベント駆動型のページ捲り処理となる。そして、タグに対する操作と、ページ情報（情報閲覧領域）に対する操作とにより種々のページ捲り処理を実現する。
【０１５７】
＜タグによるページ捲り動作＞
図１６又は図２０に示すようなタグの表示は、電子情報の総ページ数や総ページ数に対する現ページの位置などを直感的にユーザに伝達できる点で優れたインタフェースであるのみならず、線形に定義された複数のページ情報のうちユーザが見たいページを表示するための道具としても有用である。ここでは、書籍のページを捲る操作をメタファーとして、人工的な存在ともいえるタグを利用しつつも、コンピュータの利用経験の有無にかかわらず操作を直感的に理解し得るインタフェースが開示される。
【０１５８】
本実施例では、ポインタ駆動型のインタフェースを採用する。ポインタは、タッチパネル式のディスプレイ４９を用いるのであれば、指先やペンタイプのポインタであり、コンピュータ１００に接続されたＣＲＴ等を用いるのであれば、マウス１０５やキーボード１０４の矢印キーにより操作され画面に表示される矢印等がポインタとなる。より直感的な理解を促すためには、タッチパネル式が望ましい。
【０１５９】
書籍でのページの捲り方は、一般的に、１枚ずつ読みながら捲っていく手法と、なんらかのキーワードなどを探索しつつぱらぱらと比較的速く捲っていく手法と、ページ番号を参照しながら所定のページを開く手法と、多少力を入れて複数枚を一度に捲る手法とがある。また、比較的速く捲る場合、ページの全体を表示することなく、ページの端部を押さえつつ紙の弾性を用いて捲る手法もある。これらの操作を隠喩するために、タグに対する種々のポインタイベントを用いる。
【０１６０】
閲覧しているページから別のページへ即座に切り替えて閲覧する方法を実現する手段の一例としては、タグのクリックであるが適している。書籍のページを捲るときに用紙の端部を擦るようにして捲る場合があるが、これと同様の操作をタグのクリックにより行う。閲覧したいページのタグ８，９，１０に直接に触れることで、指示されたタグ８，９，１０のページ番号等のタグ内容１８に対応するページ情報を、ページが捲れる様子を視覚的に表示しながら、情報閲覧領域５に所望のページ情報を表示する。また、タグ内でポインタダウンがあり、かつ、同一のタグ内でポインタアップがあった場合に、当該タグが付されたページを捲るようにしても良い。
【０１６１】
任意のページ範囲をぱらぱらとページを捲って閲覧する方法を実現する手段の一例は、ぱらぱらとページを捲って読みたいページ情報に付随する複数のタグを、指先でなぞりながら連続して触れて指先を離すことで、触れたタグの順序に従って各閲覧情報を、一定の表示間隔で連続して情報閲覧領域５に表示する。このとき、複数のタグを触れ終わるまでの時間をタイマ４８によって計測して、その計測時間に比例した表示速度でページ情報を次々と表示することが可能である。実際に、書籍の用紙をぱらぱらと捲る場合には、用紙の端部を押さえてぱらぱらと捲りたい部分を次々と放すことが行われる。これと同様にタグを次々と押さえることで、連続的なページ捲りを行う。
【０１６２】
図４９及び図５０を参照してポインタイベント駆動型のインタフェースを詳細に説明する。図４９は本発明の第２の実施例の処理例を示すフローチャートである。まず、現ページが表示中であるとする（ステップＳ９１）。そして、各タグも通常表示又はセマンテック表示にて表示されている（ステップＳ９２，タグ表示工程）。その後、ポインタイベントを待機し（ステップＳ９３）、イベントが生じた場合にはイベントの種類に応じてページ捲り処理を行う（ステップＳ９４，イベント駆動型表示制御工程）。
【０１６３】
ポインタイベントとページ捲り処理の関係を図５０に示す。まず、あるタグがドラッグされた場合には、当該ドラッグされたページを図２６に示すように除々に移動させ、そのタグの次のページを表示する（ページ捲り工程）。このとき、当該移動させるページにタグを付したままタグと共に移動させる用にしても良い。また、あるタグがクリックされた場合には、クリックされたタグが示すページを表示する。また、同一タグ内でポインタダウン位置とポインタアップ位置に差があり、その差がページ捲り方向に所定のしきい値以上である場合には、当該タグの次のページを表示するようにしても良い。
【０１６４】
複数のタグ間がドラッグされた場合、すなわち、あるタグでポインタダウンが生じ、続いてポインタアップが無いままタグ表示方向へポインタが移動し、その後別のタグでポインタアップされた場合には、当該ドラッグされたタグが示すページをドラッグされた順序で次々に表示する。あるタグまたはタグの近傍の情報閲覧領域にて、ポインタダウンの時間又は圧力が予め定められたしきい値を越えた場合には、その時間又は圧力に応じた枚数を掴んだものとして、複数枚を一度に移動させるようにしても良い。このとき、時間や圧力の変化に応じて掴みつつあるタグを動的にポインタ近傍へ移動させるようにしても良い。
【０１６５】
このようなページ捲り処理を行うページ情報表示装置では、閲覧操作管理部４５が、イベント駆動型表示制御部を備えるようにすると良い。また、図５０に示す各処理はプログラムを実行するＣＰＵにより実現することもできる。この場合、各ポインタイベントに対するメソッドとして各処理を定義したプログラムを用いると良い。
【０１６６】
＜情報閲覧領域でのイベント＞
図５０を再度参照すると、ポインタダウンの時間又は圧力が一定以上の場合に、複数ページを掴む処理は、タグ上及びページ情報上共に共通する。ページ捲り方向でのドラッグによってページ捲りを行う処理は、ページ情報に対するポインタイベントである。また、記事情報のクリックや、複数の記事のドラッグについても、ページ情報に対する操作となる。
【０１６７】
ページ捲りを行うためのドラッグと、記事の連続拡大を行うためのドラッグとは、ドラッグの軌跡により判定することができる。図５１は、ドラッグの軌跡でページ捲りと記事情報連続表示の一方を選択する処理の一例を示す説明図である。この図５１に示す例では、イベント駆動形表示制御部が、ポインタのダウンからアップまでのポインタの軌跡に基づいて現に表示しているページに対してページ番号の小さいページ又は大きいページを選択する軌跡方向別ページ選択機能を備えている。また、イベント駆動形表示制御部は、軌跡の経路に基づいて当該経路と重なる記事情報を連続的に拡大表示する記事連続表示機能を備えるようにしても良い。
【０１６８】
図５１（Ａ）は直線での軌跡を示す図で、図５１（Ｂ）は曲線を有する軌跡を示す図である。図５１（Ａ）に示すように、所定領域Ｒを超えた直線状の軌跡８６である場合には、ページ捲り処理と判定できる。一方、図５１（Ｂ）に示す用に、曲線を有する軌跡８７の場合には、記事情報の選択と判定することができる。
【０１６９】
このように本実施例によると、タグを指定し、又はページ情報上を操作することにより、閲覧しているページから任意のページにある電子情報又へ、すばやく表示を切り替えて閲覧することが可能であるため、ユーザは、ページ情報の切替を容易な操作で行うことができる。
【実施例３】
【０１７０】
実施例３では、ページ情報の先読みを行う場合の処理例を開示する。一般的に、ページ情報は１ページずつ順次読み込まれる可能性が高いため、現ページに続く複数ページを予め先読みしてＶＲＡＭ（一次記憶部）４６又はキャッシュメモリ（二次記憶部）２７に格納しておくことが考えられる。しかし、上述した実施形態等では複数ページ捲りを行うため、この場合の対策を以下開示する。
【０１７１】
図５２は本実施例の動作例を示すフローチャートである。図５２に示す例では、まず、現ページＡを表示中とする（ステップＡ５６）。そして、ページ捲り操作を識別すると（ステップＡ５７）、複数ページ捲りが有効か否かを確認する（ステップＡ５８）。複数ページ捲り出ある場合には、圧力を計測し（ステップＡ５９）、圧力に対応するページ数を算出する（ステップＡ６０）。そして、現ページＡと掴んだページ数Ｎとから、今の時点で捲り操作を行った場合で次に表示すべきページＣを決定する（ステップＡ６１）。
【０１７２】
そして、ＶＲＡＭにページＣを確保する容量があるか否かを確認する（ステップＡ６２）。ＶＲＡＭに容量が無い場合には、ＶＲＡＭに格納されている時間が最も長いページＢを破棄する（ステップＡ６３）。このとき、破棄したページＢの番号Ｂｎは記憶しておく。一方、ＶＲＡＭにページＣを記憶する容量があれば、ページＣをＶＲＡＭに保存する（ステップＡ６４）。
【０１７３】
実際にページ捲り操作が行われた場合には、ページＣを現ページとし（ステップＡ６７）、次の処理を行う（ステップＡ６８）。一方、ページ捲り操作が無い場合には、複数ページ捲りがキャンセルされたため、ページＣをＶＲＡＭから削除し、そしてページＢを再度ＶＲＡＭへ格納する（ステップＡ６５）。
【０１７４】
図５３は、複数ページを一括してページめくりする状態の一例を示す説明図である。図５３に示すように、本実施例によるページ情報表示装置では、表示コントローラ３が、電子情報メモリ４に格納された電子情報の内タッチパネルに表示されると判定されるページ情報を一時的に記憶するキャッシュメモリ（二次記憶部）４７と、タッチパネルに現に表示している現ページのページ番号に続くページ番号のページ情報をキャッシュメモリに予め格納する連続ページ先読み制御部３Ｂと、タッチパネル１での操作に応じて１頁又は複数ページを選択してページ捲り処理を行うページ捲り処理制御部６２とを備えている。そして、連続ページ先読み制御部３Ｂが、ページ捲り処理制御部６２によって複数ページのページ捲り操作が検出された場合には当該複数ページ内のページデータをキャッシュメモリ４７から削除する複数ページ捲り時削除機能３Ｄを備えている。
【０１７５】
連続ページ先読み制御部３Ｂは、現ページに続く複数のページを予め記憶部４から読み出して二次記憶部４７に格納しておく。一方、複数ページ捲り時削除機能３Ｄは、ページ捲り処理制御部６２によって複数ページのページ捲り操作が検出された場合には当該複数ページ内のページデータをキャッシュメモリ４７から削除する。複数ページ捲りによって読み飛ばされたデータをキャッシュメモリ４７から削除することで、キャッシュメモリの容量を有効利用することができる。
【０１７６】
また、記事情報を扱う実施例では、表示コントローラ３が、現ページに記事情報が含まれる場合には当該現ページ内の記事情報をキャッシュメモリに格納する記事情報先読み制御部を備えるようにしても良い。図５４は、高解像度のページ情報を記憶しておく例を示す説明図である。図５４に示す例では、１つのページデータからそれぞれ個別の記事データを生成する。この例では、記事情報先読み制御部は、現ページ表示中に記事情報を予め生成しておき、キャッシュメモリ又はＶＲＡＭに格納する。図５５は、ページ情報と記事情報とを個別に記憶しておく例を示す説明図である。この場合、記事情報先読み制御部は、個別の記事情報を予め記憶部４から読み出しておき、ＶＲＡＭ４６等に格納する。
【実施例４】
【０１７７】
次に、記憶部４に蓄積した電子情報１Ａから、ページ情報表示装置で閲覧可能なページ情報を生成する方法について具体的に説明する。上述したページ情報表示装置は、テキスト形式、画像形式、ＨＴＭＬ形式、ＸＭＬ形式、ＰＤＦ形式などの電子情報として流通する一般的なファイル形式を閲覧するものである。そのため、閲覧情報の線形的な情報構造を規定する場合には、各ファイル形式が本のようにページ単位の情報として考慮した情報構造を持つことが望ましい。ただし、各ファイル形式が持つ特有の情報構造に関しては、その特有の構造がページ情報表示装置で理解できることが前提である。その理由は、ページ情報表示装置は、各ファイル形式に特有の構造を解析することが主の目的ではなく、また従来技術としてすでにファイル形式から情報構造を容易に解析することが可能であると考えるのが一般的だからである。
【０１７８】
電子情報として流通する一般的なファイル形式は、情報構造の差異によって四つに分類する。一つめの分類は、テキスト形式に代表される情報構造である。その特徴は、文章の一行の長さ、フォントのサイズや種類が規定されておらず、ページという単位を持たない巻き物のように行数を規定しない点である。そのため、ページ情報表示装置でページ単位で閲覧するには、フォントのサイズや種類を最初に定義しておき、1ページに収まる情報量を決定することで、ページの画面イメージが確定できるので、それらの画面イメージを閲覧情報として記憶装置に保存することで、ページ情報表示装置で閲覧することが可能になる。
【０１７９】
二つめの分類は、ビットマップ形式、ＴＩＦＦ形式、ＰＩＣＴ形式、ＪＰＥＧ形式、ＧＩＦ形式など画像形式の情報である。ページ情報表示装置では、の画像形式の情報の全体が閲覧領域に収まるように画像サイズを変換した閲覧情報を作成する。次にの画像形式の情報を閲覧領域の大きさで分割した、記事情報を作成する。そして、閲覧情報と記事情報をページテーブルに登録することで、ページ情報表示装置で閲覧することが可能になる。
【０１８０】
三つめの分類は、ＨＴＭＬ形式やＸＭＬ形式に代表される情報構造である。ページ情報表示装置において、これらのファイル形式を閲覧するには、ハイパーリンク構造と、フレーム（表示画面分割したそれぞれの領域に電子情報を表示する手段）とに対応したページテーブルの作成が必要である。まず、ページ情報表示装置におけるハイパーリンク構造の変換方法について述べる。ハイパーリンク構造は、インターネット上のファイルをリンク先に設定することが可能であるため、あらゆるＨＴＭＬ形式やＸＭＬ形式の情報に対して、リンク先を自動的に辿って線形的な情報構造を定義するのは、無尽蔵にページを増やすことになりかねないので無意味である。そのため、ページ情報表示装置では、ＨＴＭＬ形式やＸＭＬ形式の情報を線形的な情報構造に変換するために、電子情報の同一ドメイン内に存在する電子情報のみを対象とした閲覧情報の作成をおこない、リンク先が同一ドメイン外を指定する電子情報の場合は、それらの電子情報は線形型の情報構造の作成過程で無視することにする。
【０１８１】
四つめの分類は、ＰＤＦ形式（Adobe社：AcrobatReaderなどのソフトで閲覧可能なファイル）による情報構造である。ＰＤＦ形式の電子情報は、ページ単位の電子情報であるため、ページ情報表示装置では、ＰＤＦ形式の電子情報に規定されるページ順序をそのまま利用する。閲覧情報は、ＰＤＦ形式の電子情報における各ページの画像情報を閲覧領域に表示可能なサイズに変換して作成する。ＰＤＦ形式の電子情報がリンク構造を持つ場合、それらのリンクはすべて無視することで線形的な情報構造を確保することで、ＰＤＦ形式の情報構造を閲覧することが可能になる。
【０１８２】
一般的には、これら種々の形式のデータを一度画像データへ変換することが望ましい。閲覧情報を画像情報として取り扱うことは、第三者がコンテンツを容易に変更できないことに加えて、閲覧情報に電子透かしを埋め込むことが従来技術で容易に実現することが可能である。また、閲覧情報をテクスチャ情報として仮想的なオブジェクトの表面に張りつけることは容易に可能である。
【０１８３】
図５６は、本発明の第４実施例によるＭＬデータの変換を行うページ情報処理装置の構成例を示すブロック図である。図５６に示す例では、ページ情報表示装置は、マークアップランゲージで記述されたＭＬデータを通信回線を介してサーバーから受信する受信手段９３と、この受信手段９３で受信したＭＬデータを予め定められた大きさのページを単位とするイメージデータに変換するＭＬデータ変換手段９４と、このＭＬデータ変換手段９４によって変換されたイメージデータであるページ情報を記憶する電子情報メモリ４と、この電子情報メモリ４に格納されたページ情報を表示すると共に当該ページ情報の閲覧に関する操作が入力されるタッチパネル１と、このタッチパネル１に入力される操作内容に基づいて電子情報メモリに格納されたページ情報の表示を制御する表示コントローラ３とを備えている。
【０１８４】
そして、ＭＬデータ変換手段９４が、ＭＬデータのリンク構造を一次元のブック構造へ変換すると共に当該変換後のページ情報にページ番号を連番で付与するページ番号付与部９５を備えている。さらに、表示コントローラ３が、タッチパネル上でのポインタのダウンからアップまでの軌跡に応じてタッチパネルに次に表示するページを現に表示しているページ番号よりもページ番号が小さいページ又は大きいページのページ情報を選択するイベント駆動型表示制御部９７を備えている。
【０１８５】
すなわち、図５６に示す例では、第３のデータ形式であるリンク構造を有するマークアップランゲージによるページデータを、本実施例で扱える線形構造に変換する。図５７は、ＭＬページのリンク構造の一例を示す説明図であり、図５７（Ａ）はリンク構造の一例を示す図で、図５７（Ｂ）はブック構造に変化させた場合の例を示す図である。ルートとなるホームページＮ１から３階層Ｃ１，Ｃ２，Ｃ３にそれぞれページＮ２乃至Ｎ７が定義されている場合、このままでは本実施形態でのページ情報として扱うことができない。
【０１８６】
本実施例では、特定のＭＬデータがＵＲＬ等で指定された場合に、そのドメイン内のＭＬデータをダウンロードし、その後、ブック構造に変換する。単一のドメイン内とすることで、ハイパーリンクによる無尽蔵のページのダウンロードを防止する。ページ番号付与部９５は、ＭＬデータのリンク構造を一次元のブック構造へ変換すると共に当該変換後のページ情報にページ番号を連番で付与する。そして、ＭＬデータ変換手段９４は、図５７に示す構造のＭＬデータを予め定められた大きさのページを単位とするイメージデータに変換する。
【０１８７】
このページ番号付与部９５により、ＭＬデータが線形構造を有するブック構造に変換される。そして、各ページについてページ番号が付されるため、１ページずつのページ捲り操作や、タグの付与や、複数ページの掴み処理などが可能となる。
【０１８８】
図５７に示す例では、図５７（Ａ）に示すリンク構造２００を図５７（Ｂ）に示す構造へと変換する。具体的には、ＭＬページＮ１の下にリンクしているＭＬページＮ２，Ｎ３，Ｎ４を、リンクする順序に従って整列させる。同様に、ＭＬページＮ２、Ｎ３の下にリンクするＭＬページＮ５，Ｎ６，Ｎ７は、それぞれがリンクするＭＬ情報Ｎ２，Ｎ３の下に、リンクする順序に従って整列させる。この走査を繰り返すことで、図５７（Ｂ）に示す構造を生成する。
【０１８９】
また、ＭＬデータ変換手段は、例えば、ＭＬデータのリンク構造２００のうち単一の木構造を特定すると共に当該木を予め定められたなぞり順序で探索することで一次元のブック構造に変換する木構造変換部９６を備えるようにしても良い。この木構造変換部９６は、図５７に示す例では、ＭＬデータのリンク構造を深さ優先探索する。また、幅優先探索を行うようにしても良い。深さ優先探索を行う場合には、木のルートに近い側から出力する前順走査（preoder）とすると良い。
【０１９０】
図５８は、ＭＬページのリンク構造の他の例を示す説明図である。この例では、一つのＭＬページＮ７が、上位の階層Ｃ２に存在する二つ以上のＭＬページとリンクＬ３７，Ｌ４７を有する場合には、階層Ｃ２のページ番号が小さいＭＬ情報Ｎ３へのリンクＬ３７を有効として、ページ情報Ｎ４へのリンクＬ４７を無視する。また、図５９に示すように、同一階層Ｃ２，Ｃ３にリンクＬ２３，Ｌ６７が存在する場合には、それらのリンクは全て無視する。また、フレームを規定したＨＴＭＬ形式のファイルをページ情報とする場合、他のページの見出しとなっているフレームを上位階層として上述した処理を行うと良い。
【０１９１】
また、このＭＬページの変換を行いつつページ情報の閲覧を行う場合には、表示コントローラ３が、タッチパネル１の両端部にページ情報のページ番号を示すタグを付するタグ付与部９８を備え、このタグ付与部が、ページ番号付与部によってページ番号が付されたページについてタッチパネルにタグを表示する変換済みページタグ表示機能を備えるようにしてもよい。すると、変換が終了して閲覧が可能なページ情報の位置及び量が明確となる。
【０１９２】
上述したように本実施例によると、インターネットを介して提供される情報を、簡単な操作で閲覧することができる。
【実施例５】
【０１９３】
図６０は、第５実施例によるストリーミング時にタグ表示を制御するページ情報表示装置の構成例を示すブロック図である。図６０に示すように、本実施例によるページ情報表示装置は、ネットワーク９１を介してページ情報をサーバー９０から受信する受信手段９３と、この受信手段９３にて受信しているページ情報を記憶する電子情報メモリ４と、この電子情報メモリ４に格納されるページ情報を表示すると共に当該ページ情報の閲覧に関する操作が入力されるタッチパネル１と、このタッチパネル１に入力される操作内容に基づいて電子情報メモリに格納されたページ情報の表示を制御する表示コントローラ３とを備えている。
【０１９４】
そして、表示コントローラ３が、電子情報メモリに格納されたページ情報の内容を表示するタグをタッチパネルに表示するタグ付与部９８と、受信手段によるページ情報の受信の進展に応じてタグ付与部を動作させるストリーミング時動的タグ付与制御部９９Ａとを備えている。タグ付与制御部９９Ａが、ダウンロードしたページ情報についてタグを付するため、ユーザは、どのページまでダウンロードしたのかを現ページを閲覧しつつ把握することができる。
【０１９５】
また、表示コントローラ３は、受信手段９３によるページ情報の受信の進展に応じて受信が完了したタグの色を受信が完了していないタグの色と異なる色に着色するストリーミング時動的タグ着色制御部９９Ｂや、受信手段９３によるページ情報の受信の進展に応じて１ページ分のページ情報のうち既に受信した情報量に応じた長さのタグをタグ付与部に生成させるストリーミング時動的タグ長さ制御部９９Ｃとを備えるようにしても良い。
【０１９６】
図６１は、図６０に示す構成にてダウンロード済みのデータ量に応じたタグを表示制御する例を示す図であり、図６１（Ａ）はダウンロードが完了したページのタグを表示する例を示す図で、図６１（Ｂ）はダウンロード中のページのタグはダウンロードした容量に応じたタグ長さに設定する例を示す図である。本実施例では、ストリーミング技術を利用する場合に、表示ページがローカルに保存されていない部分は、タグが表示されないという具合に操作を制御する。タグを表示しないことで、そのページが閲覧できないことをユーザに表示する。
【０１９７】
図６１（Ａ）に示す例では、第６頁までがダウンロード完了している場合を示す。図６１（Ｂ）に示す例では、ページデータのダウンロードが完了してない場合には、タグの長さを短くする。また、拡大操作ができないことを示すためにダウンロード中のデータをインターレース表示するようにしても良い。
【０１９８】
図６２は、図６０に示す構成にて全ページ中ダウンロード済みのデータ量に応じたタグの表示制御を行う例を示す図で、図６２（Ａ）はページのタグのみを正常表示する例を示す図で、図６２（Ｂ）は１ページについてもダウンロードが完了した量に応じたタグ長さ分正常表示する例を示す図である。ダウンロードすべき対象（コンテンツ）のページ総数が最初に本システム側で確認できる場合、図６２（Ａ）に示すように、ページ総数に見合うページタグを描画して、ダウンロード済みのページのページタグを番号つきで表示する。例えば、ダウンロードが完了してないページデータに関しては、ダウンロード済みのページタグとは一見して異なるようにページ番号を表示しない、もしくはページタグの色を違う色にするなどにより明示する。
【０１９９】
図６２（Ｂ）に示す例では、例えば、ダウンロードが７０％完了した場合、ページタグの色を７０％だけバーグラフのように表示するようにすることで、ストリーミングによるデータのダウンロード状況を視覚化する。上記のように、ダウンロードが完了（０％）していないページは、閲覧できないなどの制限を設けることで、ストリーミング技術に対応させる。
【０２００】
そして、図６２（Ｂ）に示す例では、7頁をダウンロード途中の場合である。7頁目のダウンロードを７０％まで完了しているため、ページタグ（形状は台形）の底辺が７０％まで表示されていることを示しています。つまり、ダウンロードの量に合わせて、ページタグの大きさが変化することで、ストリーミングによるダウンロード量を視覚的に明示する。
【０２０１】
このストリーミング技術の応用では、線形なブック構造のデータをダウンロードすることを前提としているが、第４実施例のように、所定のデータ形式の変換を行う用にしても良い。この場合、タグの表示は、変換済みか否かに応じて行うようにしても良い。
【実施例６】
【０２０２】
実施例６では、種々の操作内容をヒストリとして格納しておくことで、操作に習熟した場合のシステムの応答の遅れをカバーする。図６３は、本発明の第６実施例によるヒストリ情報を扱う例を示す説明図であり、図６３（Ａ）は限定した操作のみのコマンドを記憶したヒストリ情報の一例を示す図で、図６３（Ｂ）は全ての操作についてのコマンドを記憶したヒストリ情報の一例を示す図である。
【０２０３】
図６３に示すように、操作履歴をヒストリ情報に記述する。図６３（Ａ）に示す例では、操作履歴を記憶するのはシステムの描画方法が追従できない場合の補足機能であるため、操作と描画の同期がうまく取れない複雑なページ捲り操作（直接ページ捲り操作や連続ページ捲り操作）や描画が完了していないと行われないであろう操作（拡大縮小操作）は、操作が発散することを避けるためヒストリ情報には記述しないようにしても良い。
【０２０４】
図６３（Ｂ）に示す例では、全ての操作イベントをヒストリ情報に格納している。また、単純なページ捲り操作（順次ページ捲り操作）の場合であっても、操作と描画の遅延時間が広がると操作が発散してしまい、ユーザに混乱を与えてしまことも想定され得るため、操作履歴を保存する回数に制限を設けて操作の発散（ユーザの操作イメージとシステムの挙動の不一致）を回避すると良い。例えば、順次ページ捲り操作のイベント記述文字をそのままヒストリー・ファイルに上から順に記述する。そして、上から順にイベントが処理され、処理されるとその操作イベントはヒストリーファイルから削除される。操作スレッドと描画スレッドを独立して処理する例を示すフローチャートを図６４に示す。ステップＡ７５にて、操作と実行とを接続している。
【０２０５】
＜比較例＞
次に、上述した本実施形態及び実施例の利点を従来例との比較において説明する。図１５に示すようなタッチパネル式の特別なディスプレイではなく、図６５に示すようなコンピュータにより上述したページ情報の閲覧を行うこともできる。しかし、コンピュータ１００は、ディスプレイ１０２と、本体１０３とを備えた機械であり、電子レンジを操作するがビデオの予約を苦手とするユーザ層にとっては、やはり、取り組みがたい印象を与えることもある。特に、キーボード１０４やマウス１０５による操作も、単に情報を閲覧するという点では、図１５に示すような装置と比較すると、煩雑である。
【０２０６】
さらに、紙を媒体とする情報を閲覧する場合と比較して、コンピュータが持つ電子情報を閲覧する場合には、キーボード１０４やマウス１０５等の入力装置を用いて、従来のグラフィカルユーザインタフェースに特有の操作方法を習熟する必要がある。そのため、例えば、本を閲覧する時のようにページを捲るという日常的な操作とは大きく異なる操作方法をユーザに強いるので、特に、コンピュータの利用経験が浅いユーザが、電子情報を容易に閲覧することが困難となる。
【０２０７】
ここで述べる従来のグラフィカルユーザインタフェースに特有の操作方法とは、マウスで操作する入力カーソルによって、コンピュータの出力装置の上に抽象化して表示した仮想的な入力装置を操作する操作方法である。仮想的な入力装置とは、例えば、図６６に示すようなコンピュータの出力装置に表示したスクロールバー３０３や、ポップアップメニュー３０４や、サムネイル表示によるページ３０１，３０２等を意味する。
【０２０８】
そして、図６６に示すように、ディスプレイの大きさと電子情報の大きさによっては、電子情報１ページ分のみの表示とならず、次ページも同一画面に表示されてしまう。これをスクロールバー３０３で移動させるか、またはサムネイルを使用してページの移動を行うが、スクロールバーというのは実際の書籍の閲覧では使用することのない人工的なものであるため、方向や大きさ等について適切な操作を行えるようになるまで、習熟が必要である。
【０２０９】
これに対し、本発明では、タグを利用する。情報が表示されたすぐ横にタグが付されていると、利用者の多くは、書籍に付したレッテルを想起する。このため、ページを移動したい場合にタグを使用する点がなんら教授を必要とすることなくユーザに伝達されることが十分に期待できる。さらに、スクロールバーの状態によっては、ページ情報の総量を直感的に知ることができない。一方、上述した実施例では、全ページについてタグを付するため、ページ情報の総量が見た目ですぐ認知可能である。そして、現ページを中心にタグを左右に配置する例では、総ページに対する現ページの位置が図６６等に示す従来例と比較して極めて判りやすくなる。
【０２１０】
紙やコンピュータで用いられる従来のタグは、ページに記載される情報の内容を端的に表現する見出し情報が記載されるのが一般的であり、複数のページに跨る情報を端的に象徴する見出し情報である場合がほとんどである。このような見出し情報が記されたタグを一瞥しても、その見出し情報が何ページから何ページまでの情報を指すのか容易に知り得ることできない。また、見出し情報は単語や文章から成るのが普通であるため、あまり文字数の長い見出し情報はタグに記すことが難しい。このように見出し情報をタグに書き記すことが困難な場合には、見出し情報の文字サイズを小さくするか、またはタグに書ききれない文字は省略するなどの方法で対応することはできるが、それぞれの場合も見出し情報を正確に理解することが困難になるため、このような状態で表示されるタグは、グラフィカルユーザインタフェースとして必ずしも十分の役割を果たさないことも想定される。一方、本発明による実施例では、タグ内容としてページ番号を採用するため、ページの位置を小さいサイズで一見して知らせることができるのみならず、数字は万国共通であるため言語が変化しても一貫したインタフェースとなる。
【０２１１】
また、表計算ソフト（Microsoft社：Excel（商標））などで用いられるタグ付きのシートは、タグ同士の順番が明確に定義されていないインタフェースの一つである。例えば、図６７（Ａ）に示すように、シート１を開くと、各シートの並びは、符号３１１で示すシート１、符号３１２で示すシート２、符号３１３で示すシート３の順序で並んでいるように描画される。しかし、シート２を開くと、図６７（Ｂ）に示すように、各シートの並びは、紙という物理的なシートとして積み重なっていると考えれば、シート２、シート１、シート３の順序（または、シート２、シート３、シート１の順序）で並んでいるように解釈することができる。シートが右から順に並んでいるという理由だけでは、シートの順序が変わっていないと考えるには、視覚的にいささか不自然であることは否めない。ユーザ層によっては、一貫性に欠け、味気ないインタフェースであると感じるかもしれない。
【０２１２】
つまり、従来のタグは本のようにページの順序に従った線形的な情報構造（この例の場合、シート１、シート２、シート３の順序が常に視覚的に固定されている情報構造）を明示していないため、電子情報の順序に関してユーザへ視覚的な混乱を与えることがある。このような情報構造の認識に関してユーザへ混乱を与えることは、特に情報を容易に閲覧するという目的にとって弊害になる。
【０２１３】
一方、本実施例によるタグの配置は、通常表示及びセマンテック表示共にタグの重なり具合でページ情報の線形構造が理解できるようになっており、また、ページ捲り後もタグの高さを維持するか又は比率を維持するかによって、一貫性を確保しているため、多くのユーザにとって、愛着をもてるインタフェースになり得ると考えられる。
【産業上の利用可能性】
【０２１４】
本発明は、上述したように、コンピュータの使用経験にかかわらず万人にとって判りやすい情報閲覧用のユーザインタフェースとして利用可能である。
【図面の簡単な説明】
【０２１５】
【図１】本発明の第１の実施形態によるページ情報表示方法の一例を示すフローチャートである。
【図２】図１に示した第１実施形態でのページ情報表示装置の一例を示すブロック図であり、図２（Ａ）は全体構成を示す図で、図２（Ｂ）は表示コントローラの詳細構成を示す図である。
【図３】図１及び図２に示した構成でのページ捲り動作の一例を示す説明図である。
【図４】本発明の第２実施形態によるページ掴み処理を行う構成例を示すフローチャートである。
【図５】図４に示した構成での掴みページ数表示例を示す説明図であり、図５（Ａ）は圧力円の一例を示す図で、図５（Ｂ）は時間円の一例を示す図で、図５（Ｃ）は所定領域内での圧力／時間操作が行われる例を示す図で、図５（Ｄ）は図５（Ｃ）に示す操作に応じた圧力円の表示例を示す図である。
【図６】図４に示した第２実施形態の動作例を示す説明図であり、図６（Ａ）はページ情報表示装置の構成例を示す図で、図６（Ｂ）は圧力円の表示例を示す図である。
【図７】図７（Ａ）〜（Ｃ）は、図４に示す構成で多重輪を表示する一例を示す説明図である。
【図８】図４に示す構成で塗り円を表示する一例を示す説明であり、図８（Ａ）は単色でのべた塗りを行う塗り円の一例を示す図で、図８（Ｂ）は透明度を有する塗り円の一例を示す図で、図８（Ｃ）はグラデーションを有する塗り円の一例を示す図である。
【図９】図４に示す構成で塗り円を表示する他の例を示す説明図であり、図９（Ａ）は歪みを有する塗り円の一例を示す図で、図９（Ｂ）はゆがみを生じさせる基準を示す図で、図９（Ｃ）は中程度の圧力の場合の歪み例を示す図で、図９（Ｄ）は大きい圧力の場合の歪み例を示す図である。
【図１０】本発明により表示形式を選択する第３実施形態の一例を示すフローチャートである。
【０２１６】
【図１１】第３実施形態でのページ情報表示装置の構成例を示すブロック図である。
【図１２】図１０に示す構成でのページ捲り時の表示形式の一例を示す説明図であり、図１２（Ａ）は上書き型の表示形式の一例を示す図で、図１２（Ｂ）はスライド型の表示形式の一例を示す図である。
【図１３】図１０に示す構成でのページ捲り時の表示形式の他の例を示す説明図であり、図１３（Ａ）は圧縮型の表示形式の一例を示す図で、図１３（Ｂ）は３Ｄ型の表示形式の一例を示す図である。
【図１４】本発明によるページ情報表示方法の一実施形態の構成例を示すフローチャートである。
【図１５】図１４に示した各工程の実施に好適なページ情報表示装置の構成例を示すブロック図である。
【図１６】本実施形態によるタグの表示の初期状態の一例を示す説明図である。
【図１７】図１６に示した構成で第４ページを表示した場合のタグ表示例を示す説明図である。
【図１８】本発明の第４実施形態等での各用語を定義するための説明図である。
【図１９】本発明の第４実施形態によりタグ長さを連続的に変化させるセマンテック表示を行う処理の構成を示すフローチャートである。
【図２０】図１９に示す構成にてセマンテック表示を行った例を示す説明図である。
【図２１】第４実施形態で用いるページ情報表示用データの一例を示す図で、図２１（Ａ）は最低基準長がドット数で定義された場合の例を示す図で、図２１（Ｂ）は最低基準長が物理長で定義された場合の例を示す図である。
【図２２】第４実施形態によるページデータ表示装置の構成例を示すブロック図である。
【図２３】図２１に示すデータ構造のデータを使用してタグの幅とタグの長さを決定する処理の一例を示すフローチャートである。
【図２４】通常表示とセマンテック表示とを切り替える処理の一例を示すフローチャートである。
【図２５】ページ捲り後に再度タグを表示する処理の例を示すフローチャートである。
【図２６】図示した構成でのページ捲り時の表示例を示す説明図である。
【図２７】セマンテック表示中にタグを押し広げる処理の一例を示すフローチャートである。
【図２８】図２７に示す押し広げ処理によりポインタ近傍のタグを押し広げた表示例を示す説明図である。
【図２９】タグを用いたページ捲り表示形式の一例を示す説明図であり、図２９（Ａ）はタグ一体型の表示形式の一例を示す図で、図２９（Ｂ）は複数ページ一体型の表示形式の一例を示す図である。
【図３０】第４実施形態での掴み操作に応じたタグ表示制御の一例を示すフローチャートである。
【図３１】図３０に示した処理の一例を示す説明図である。
【図３２】図３０に示した処理によりタグを着色した処理の一例を示す説明図である。
【図３３】図３２に対応して逆側のタグ表示領域でのタグの着色処理の一例を示す説明図である。
【図３４】複数ページを一括してページ捲り処理する場合のタグ表示例の一例を示すフローチャートである。
【図３５】図３５（Ａ），（Ｂ）は図３４に示した処理によるタグ表示例を示す説明図である。
【図３６】図３６（Ａ），（Ｂ）は図３４に示した処理による情報閲覧領域でのタグ表示を強調した説明図である。
【図３７】複数ページの一括ページ捲り完了後のタグ表示例を示す説明図である。
【図３８】タグ上に圧力円を表示する例を示す説明図であり、図３８（Ａ）は左側ページタグの場合の例を示す図で、図３８（Ｂ）は右側ページタグの場合の例を示す図で、図３８（Ｃ）はタグの着色とタグ内圧力円とを併用する例を示す図である。
【図３９】タグ上の操作方向に応じて掴み対象ページを変化させる例を示す説明図であり、図３９（Ａ）は前ページを掴む場合の一例を示す図で、図３９（Ｂ）は後ページを掴む場合の例を示す図である。
【図４０】本実施例の構成を示すブロック図である。
【図４１】図４０に示した構成でのページ表示処理例の前段を示すフローチャートである。
【図４２】図４１に示した処理に続くページ表示処理例の後段を示すフローチャートである。
【図４３】本発明の第１実施例による記事情報の拡大表示を行う処理例を示すフローチャートである。
【図４４】複数記事のドラッグによる連続拡大操作を行う例を示す説明図である。
【図４５】ワイヤーフレーム表示を伴う記事拡大表示の一例を示す説明図であり、図４５（Ａ）は拡大処理時の表示例を示す図で、図４５（Ｂ）は拡大した記事情報の一例を示す図である。
【図４６】記事情報を浮き上がらせた後に拡大する処理の一例を示す説明図であり、図４６（Ａ）は浮き上がらせるために記事に陰を付した状態を示す図で、図４６（Ｂ）は選択された記事を拡大中の状態を示す図で、図４６（Ｃ）は拡大処理完了後の状態を示す図である。
【図４７】記事情報拡大時のタグ表示の一例を示す説明図である。
【図４８】ページ情報と記事情報を対応付ける記事情報テーブルの一例を示す図表である。
【図４９】本発明の第２の実施例の処理例を示すフローチャートである。
【図５０】図４９に示す処理でのポインタイベントとページ捲り処理の関係を示す図表である。
【図５１】ドラッグの軌跡でページ捲りと記事情報連続表示の一方を選択する処理の一例を示す説明図であり、図５１（Ａ）は直線上の軌跡を示す図で、図５１（Ｂ）は曲線を有する軌跡を示す図である。
【図５２】本発明の第３実施例による先読み処理を行う例を示すフローチャートである。
【図５３】複数ページを一括してページめくりする状態の一例を示す説明図である。
【図５４】高解像度のページ情報を記憶しておく例を示す説明図である。
【図５５】ページ情報と記事情報とを個別に記憶しておく例を示す説明図である。
【図５６】本発明の第４実施例によるＭＬデータの変換を行うページ情報処理装置の構成例を示すブロック図である。
【図５７】ＭＬページのリンク構造の一例を示す説明図であり、図５７（Ａ）はリンク構造の一例を示す図で、図５７（Ｂ）はブック構造に変化させた場合の例を示す図である。
【図５８】ＭＬページのリンク構造の他の例を示す説明図である。
【図５９】ＭＬページのリンク構造の更に他の例を示す説明図である。
【図６０】本発明の第５実施例によるストリーミング時にタグ表示を制御するページ情報表示装置の構成例を示すブロック図である。
【図６１】図６０に示す構成にてダウンロード済みのデータ量に応じたタグを表示制御する例を示す図であり、図６１（Ａ）はダウンロードが完了したページのタグを表示する例を示す図で、図６１（Ｂ）はダウンロード中のページのタグはダウンロードした容量に応じたタグ長さに設定する例を示す図である。
【図６２】図６０に示す構成にて全ページ中ダウンロード済みのデータ量に応じたタグの表示制御を行う例を示す図で、図６２（Ａ）はページのタグのみを正常表示する例を示す図で、図６２（Ｂ）は１ページについてもダウンロードが完了した量に応じたタグ長さ分正常表示する例を示す図である。
【図６３】本発明の第６実施例によるヒストリ情報を扱う例を示す説明図であり、図６３（Ａ）は限定した操作のみのコマンドを記憶したヒストリ情報の一例を示す図で、図６３（Ｂ）は全ての操作についてのコマンドを記憶したヒストリ情報の一例を示す図である。
【図６４】ヒストリ情報を用いたページ情報表示制御の処理例を示すフローチャートである。
【図６５】本実施例で使用するコンピュータの一例を示す斜視図である。
【図６６】従来のユーザインタフェースの一例を示す説明図である。
【図６７】従来のユーザインタフェースの他の例を示す説明図であり、図６７（Ａ）はシート１を選択している状態を示し、図６７（Ｂ）はシート２を選択している状態を示す図である。
【符号の説明】
【０２１７】
１  表示部（ディスプレイ，タッチパネル）
１Ａ  電子情報（又は１つのページ情報）
１Ｃ  操作部
２  入力部（ポインティングデバイス）
３  表示コントローラ（表示制御部）
４  電子情報メモリ（記憶部）
５  情報閲覧領域
６  他方のタグ表示領域
７  一方のタグ表示領域
１７  プログラムを記憶した記憶媒体
３４  ページ捲り方向
６０  ページ捲り操作検出部
６１  次表示ページ設定部
６２  ページ捲り処理部
６４  掴み操作検出部
６５  掴みページ数表示部
６８  次表示ページ読出機能
６９  捲り状態表示データ生成機能
７０  捲り状態表示データ上書き機能
【図１】
2004288208.tif 000003
【図２】
2004288208.tif 000004
【図３】
2004288208.tif 000005
【図４】
2004288208.tif 000006
【図５】
2004288208.tif 000007
【図６】
2004288208.tif 000008
【図７】
2004288208.tif 000009
【図８】
2004288208.tif 000010
【図９】
2004288208.tif 000011
【図１０】
2004288208.tif 000012
【図１１】
2004288208.tif 000013
【図１２】
2004288208.tif 000014
【図１３】
2004288208.tif 000015
【図１４】
2004288208.tif 000016
【図１５】
2004288208.tif 000017
【図１６】
2004288208.tif 000018
【図１７】
2004288208.tif 000019
【図１８】
2004288208.tif 000020
【図１９】
2004288208.tif 000021
【図２０】
2004288208.tif 000022
【図２１】
2004288208.tif 000023
【図２２】
2004288208.tif 000024
【図２３】
2004288208.tif 000025
【図２４】
2004288208.tif 000026
【図２５】
2004288208.tif 000027
【図２６】
2004288208.tif 000028
【図２７】
2004288208.tif 000029
【図２８】
2004288208.tif 000030
【図２９】
2004288208.tif 000031
【図３０】
2004288208.tif 000032
【図３１】
2004288208.tif 000033
【図３２】
2004288208.tif 000034
【図３３】
2004288208.tif 000035
【図３４】
2004288208.tif 000036
【図３５】
2004288208.tif 000037
【図３６】
2004288208.tif 000038
【図３７】
2004288208.tif 000039
【図３８】
2004288208.tif 000040
【図３９】
2004288208.tif 000041
【図４０】
2004288208.tif 000042
【図４１】
2004288208.tif 000043
【図４２】
2004288208.tif 000044
【図４３】
2004288208.tif 000045
【図４４】
2004288208.tif 000046
【図４５】
2004288208.tif 000047
【図４６】
2004288208.tif 000048
【図４７】
2004288208.tif 000049
【図４８】
2004288208.tif 000050
【図４９】
2004288208.tif 000051
【図５０】
2004288208.tif 000052
【図５１】
2004288208.tif 000053
【図５２】
2004288208.tif 000054
【図５３】
2004288208.tif 000055
【図５４】
2004288208.tif 000056
【図５５】
2004288208.tif 000057
【図５６】
2004288208.tif 000058
【図５７】
2004288208.tif 000059
【図５８】
2004288208.tif 000060
【図５９】
2004288208.tif 000061
【図６０】
2004288208.tif 000062
【図６１】
2004288208.tif 000063
【図６２】
2004288208.tif 000064
【図６３】
2004288208.tif 000065
【図６４】
2004288208.tif 000066
【図６５】
2004288208.tif 000067
【図６６】
2004288208.tif 000068
【図６７】
2004288208.tif 000069